(57)【要約】【課題】同様の情報の処理を実施させることが可能な情報処理システムを提供する。【解決手段】第１の情報記録装置４００に、録画予約の設定を要求する旨の録画予約情報を有するグループ録画予約指示情報を取得するネットワークインターフェースと、このネットワークインターフェースにて取得したグループ録画予約指示情報の録画予約情報に基づいて録画予約の設定をする録画手段と、録画予約情報と同様の情報をネットワーク２００を介して第２の情報記録装置４０１や第３の情報記録装置４０２に配信するグループ録画予約通知生成手段と、を備えた。【選択図】            図１
2005039423.tif 000002
【特許請求の範囲】
【請求項１】
情報の処理を要求する旨の要求情報を有する処理指示情報を取得する指示取得手段と、
この指示取得手段にて取得した前記処理指示情報の前記要求情報に基づいて前記情報を処理する処理制御手段と、
前記要求情報を配信する配信手段と、
を具備したことを特徴とした情報処理装置。
【請求項２】
請求項１に記載の情報処理装置であって、
現在日時を計時する処理装置計時手段を具備し、
前記要求情報は、前記情報の処理を開始する予定時刻に関する予定時刻情報を有し、
前記処理制御手段は、前記処理装置計時手段にて計時する現在日時が前記予定時刻情報の前記予定時刻であると判断すると前記情報を処理する
ことを特徴とした情報処理装置。
【請求項３】
請求項１または請求項２に記載の情報処理装置であって、
前記要求情報は、前記処理制御手段にて前記情報を記録可能な記録媒体に前記情報を記録させる旨の情報である
ことを特徴とした情報処理装置。
【請求項４】
請求項１ないし請求項３のいずれかに記載の情報処理装置であって、
前記処理指示情報は、配信先を特定する配信先情報を有し、
前記配信先情報に基づき前記配信手段に前記要求情報を配信させる配信制御手段を具備した
ことを特徴とした情報処理装置。
【請求項５】
請求項１ないし請求項４のいずれかに記載の情報処理装置であって、
前記処理指示情報に基づいて前記配信手段に前記要求情報を配信させるか否かを判断する配信制御手段を具備した
ことを特徴とした情報処理装置。
【請求項６】
請求項５に記載の情報処理装置であって、
固有の自装置情報を記憶する処理装置記憶手段を具備し、
前記処理指示情報は、前記情報を処理させる処理対象先を特定する処理先情報と、配信先を特定する配信先情報と、を有し、
前記配信制御手段は、前記処理先情報が前記自装置情報と同一であるか否かを判断し、同一であると判断した場合には前記配信先情報に基づいて前記配信手段に前記要求情報を配信させ、同一でないと判断した場合には前記配信手段に前記要求情報を配信させない
ことを特徴とした情報処理装置。
【請求項７】
複数の請求項１ないし請求項４のいずれかに記載の情報処理装置と、
これらの情報処理装置にネットワークを介して各種情報を送受信可能に接続され、前記ネットワークを介して前記情報処理装置のいずれか１つより配信される前記要求情報を取得する要求取得手段、および、この要求取得手段にて取得した前記要求情報を他の前記情報処理装置に配信する同報手段を備えたサーバ装置と、
を備え、
前記情報処理装置は、
前記処理指示情報を生成し、この生成した前記処理指示情報を前記指示取得手段に出力する指示生成手段を備え、
前記指示取得手段は、前記サーバ装置より配信される前記要求情報を取得し、
前記配信手段は、前記要求取得手段に前記要求情報を取得させる
ことを特徴とした情報処理システム。
【請求項８】
請求項７に記載の情報処理システムであって、
前記情報処理装置は、
前記要求情報を他の前記情報処理装置に配信する旨を要求する同報通知情報を生成する同報通知生成手段を備え、
前記配信制御手段は、前記配信手段に前記同報通知生成手段にて生成された前記同報通知情報を前記サーバ装置に配信させ、
前記要求取得手段は、前記情報処理装置より配信される前記同報通知情報を取得し、
前記同報手段は、前記要求取得手段にて取得した前記同報通知情報に基づいて前記要求情報を配信する
ことを特徴とした情報処理システム。
【請求項９】
請求項８に記載の情報処理システムであって、
前記サーバ装置は、
前記同報通知情報に基づいて前記同報手段に前記要求情報を配信させるか否かを判断する同報制御手段を具備した
ことを特徴とした情報処理システム。
【請求項１０】
請求項９に記載の情報処理システムであって、
前記同報通知情報は、他の前記情報処理装置を特定する同報先情報を有し、
前記サーバ装置は、登録されている前記情報処理装置を特定する登録装置情報を記憶するサーバ記憶手段を具備し、
前記同報制御手段は、前記サーバ記憶手段に前記同報先情報と同一の前記登録装置情報が記憶されているか否かを判断し、記憶されていると判断した場合には前記同報手段に前記同報先情報に基づいて前記要求情報を配信させ、記憶されていないと判断した場合には前記同報手段に前記要求情報を配信させない
ことを特徴とした情報処理システム。
【請求項１１】
請求項１０に記載の情報処理システムであって、
前記情報処理装置は、
固有の自装置情報を記憶する処理装置記憶手段を備え、
前記指示取得手段は、前記サーバ装置より配信され前記情報を処理させる処理対象先を特定する処理先情報を取得し、
前記処理制御手段は、前記指示取得手段にて取得した前記処理先情報が前記自装置情報と同一であるか否かを判断し、同一であると判断した場合には前記情報を処理し、同一でないと判断した場合には前記情報を処理せず、
前記同報制御手段は、前記同報手段に前記要求情報を配信させる際に前記処理先情報をともに配信させる
ことを特徴とした情報処理システム。
【請求項１２】
請求項９ないし請求項１１のいずれかに記載の情報処理システムであって、
前記同報通知情報は、複数の前記情報処理装置が所属するグループを特定する同報先グループ情報を有し、
前記サーバ装置は、登録されている前記グループを特定する登録グループ情報を記憶するサーバ記憶手段を具備し、
前記同報制御手段は、前記サーバ記憶手段に前記同報先グループ情報と同一の前記登録グループ情報が記憶されているか否かを判断し、記憶されていると判断した場合には前記同報手段に前記同報先グループ情報に基づいて前記要求情報を配信させ、記憶されていないと判断した場合には前記同報手段に前記要求情報を配信させない
ことを特徴とした情報処理システム。
【請求項１３】
請求項１２に記載の情報処理システムであって、
前記同報通知情報は、当該同報通知情報を配信した前記情報処理装置を特定する配信元情報を有し、
前記同報制御手段は、前記登録グループ情報と同一の前記同報先グループ情報により特定される前記グループに前記配信元情報により特定される前記情報処理装置が所属しているか否かを判断し、所属していると判断した場合には前記同報手段に前記要求情報を配信させ、所属していないと判断した場合には前記同報手段に前記要求情報を配信させない
ことを特徴とした情報処理システム。
【請求項１４】
請求項１２または請求項１３に記載の情報処理システムであって、
前記情報処理装置は、
所属するグループを特定する所属グループ情報を記憶する処理装置記憶手段を備え、
前記指示取得手段は、前記サーバ装置より配信され前記情報を処理させる複数の処理対象先を特定する処理先グループ情報を取得し、
前記処理制御手段は、前記処理装置記憶手段に前記指示取得手段にて取得した前記処理先グループ情報と同一の前記所属グループ情報が記憶されているか否かを判断し、記憶されていると判断した場合には前記情報を処理し、記憶されていないと判断した場合には前記情報を処理せず、
前記同報制御手段は、前記同報手段に前記要求情報を配信させる際に前記処理先グループ情報をともに配信させる
ことを特徴とした情報処理システム。
【請求項１５】
請求項８ないし請求項１４のいずれかに記載の情報処理システムであって、
前記要求情報は、前記情報の処理を開始する予定時刻に関する予定時刻情報を有し、
前記サーバ装置は、
現在日時を計時するサーバ計時手段を具備し、
前記同報制御手段は、前記サーバ計時手段にて計時する現在日時を取得して前記予定時刻情報の前記予定時刻までの残り時間を認識し、この認識した前記残り時間が所定時間以上である場合には前記同報手段に前記要求情報を配信させ、所定時間以下である場合には前記同報手段に前記要求情報を配信させない
ことを特徴とした情報処理システム。
【請求項１６】
請求項８ないし請求項１５のいずれかに記載の情報処理システムであって、
前記情報処理装置は、
前記処理制御手段に前記情報を処理させるか否かを判断し、この判断に基づいた処理設定情報を生成して前記サーバ装置に送信する要求受付確認手段と、
前記サーバ装置から入力される前記処理設定情報を取得して、当該処理設定情報を生成した前記情報処理装置が前記情報を処理するか否かを報知する処理装置報知手段と、
を備え、
前記サーバ装置は、
前記情報記録装置から入力される前記処理設定情報を取得して前記同報通知情報を配信した前記情報処理装置に出力する設定情報配信手段を備えた
ことを特徴とした情報処理システム。
【請求項１７】
請求項１６に記載の情報処理システムであって、
前記同報制御手段は、前記要求情報を配信した前記情報処理装置から前記設定情報配信手段にて前記処理設定情報を取得できたか否かを判断し、取得できたと判断した場合には前記同報手段に前記要求情報を再配信させず、取得できないと判断した場合には前記同報手段に前記要求情報を再配信させる
ことを特徴とした情報処理装置システム。
【請求項１８】
ネットワークを介して各種情報を送受信可能に接続された複数の請求項１ないし請求項６のいずれかに記載の情報処理装置を具備し、
前記情報処理装置は、
前記処理指示情報を生成し、この生成した前記処理指示情報を他の前記情報処理装置の指示取得手段に出力する指示生成手段を備えた
ことを特徴とした情報処理システム。
【請求項１９】
請求項１８に記載の情報処理システムであって、
前記情報処理装置は、
固有の自装置情報を記憶する処理装置記憶手段と、
前記配信手段に、前記要求情報とともに前記情報を処理させる処理対象先を特定する処理先情報を配信させる配信制御手段と、
を備え、
前記指示取得手段は、前記要求情報および前記処理先情報を取得し、
前記処理制御手段は、前記処理先情報が前記自装置情報と同一であるか否かを判断し、同一であると判断した場合には前記情報を処理し、同一でないと判断した場合には前記情報を処理しない
ことを特徴とした情報処理システム。
【請求項２０】
請求項１８または請求項１９のいずれかに記載の情報処理システムであって、
前記情報処理装置は、
所属するグループを特定する所属グループ情報を記憶する処理装置記憶手段と、
前記配信手段に、前記要求情報とともに前記情報を処理させる複数の処理対象先を特定する処理先グループ情報を配信させる配信制御手段と、
を備え、
前記指示取得手段は、前記要求情報および前記処理先グループ情報を取得し、
前記処理制御手段は、前記処理装置記憶手段に前記処理先グループ情報と同一の前記所属グループ情報が記憶されているか否かを判断し、記憶されていると判断した場合には前記情報を処理し、記憶されていないと判断した場合には前記情報を処理しない
ことを特徴とした情報処理システム。
【請求項２１】
請求項１８ないし請求項２０のいずれかに記載の情報処理システムであって、
前記要求情報は、前記情報の処理を開始する予定時刻に関する予定時刻情報を有し、
前記情報処理装置は、
現在日時を計時する処理装置計時手段と
この処理装置計時手段にて計時する現在日時を取得して前記予定時刻情報の前記予定時刻までの残り時間を認識し、この認識した前記残り時間が所定時間以上である場合には前記配信手段に前記要求情報を配信させ、所定時間以下である場合には前記配信手段に前記要求情報を配信させない配信制御手段と、
を具備した
ことを特徴とした情報処理システム。
【請求項２２】
請求項１８ないし請求項２１のいずれかに記載の情報処理システムであって、
前記情報処理装置は、
前記処理制御手段に前記情報を処理させるか否かを判断し、この判断に基づいた処理設定情報を生成して前記要求情報を配信した前記情報処理装置に配信する要求受付確認手段と、
入力される前記処理設定情報を取得する設定情報取得手段と、
この設定情報取得手段にて取得した前記処理設定情報に基づいて、当該処理設定情報を生成した前記情報処理装置が前記情報を処理するか否かを報知する処理装置報知手段と、
を具備した
ことを特徴とした情報処理システム。
【請求項２３】
請求項２２に記載の情報処理システムであって、
前記情報処理装置は、
前記要求情報を配信した前記情報処理装置から前記設定情報取得手段にて前記処理設定情報を取得できたか否かを判断し、取得できたと判断した場合には前記配信手段に前記要求情報を再配信させず、取得できないと判断した場合には前記配信手段に前記要求情報を再配信させる配信制御手段を具備した
ことを特徴とした情報処理システム。
【請求項２４】
請求項１６、請求項１７、請求項２２、請求項２３のいずれかに記載の情報処理システムであって、
前記情報処理装置は、
前記処理制御手段に前記情報を処理させるか否かの入力操作に対応して所定の信号を出力する信号出力手段を具備し、
前記要求受付確認手段は、前記信号出力手段からの前記所定の信号に基づいて前記処理制御手段に前記情報を処理させるか否かを判断する
ことを特徴とした情報処理システム。
【請求項２５】
請求項１６、請求項１７、請求項２２ないし請求項２４のいずれかに記載の情報処理システムであって、
前記情報処理装置に前記ネットワークを介して各種情報を送受信可能に接続され、前記処理制御手段に前記情報を処理させるか否かの入力操作に対応して所定の信号を出力する端末信号出力手段、および、前記情報処理装置から入力される前記所定の信号の出力を要求する旨の設定要求情報を取得する端末設定情報取得手段、この端末設定情報取得手段にて取得した前記設定要求情報に基づいて前記所定の信号の出力を要求する旨を報知する端末報知手段を備えた端末装置を具備し、
前記情報処理装置は、
前記設定要求情報を生成して前記端末装置に出力する設定要求生成手段を具備し、
前記要求受付確認手段は、前記端末装置からの前記所定の信号を取得して、この取得した前記所定の信号に基づいて前記処理制御手段に前記情報を処理させるか否かを判断する
ことを特徴とした情報処理システム。
【請求項２６】
請求項２５に記載の情報処理システムであって、
前記情報処理装置は、
現在日時を計時する処理装置計時手段を備え、
前記要求受付確認手段は、前記処理装置計時手段にて計時する待機時間内に、前記信号出力手段および前記端末装置のうちの少なくともいずれか一方から前記所定の信号を取得できたか否かを判断し、取得できたと判断した場合には前記設定要求生成手段に前記設定要求情報を出力させず、取得できないと判断した場合には前記設定要求生成手段に前記設定要求情報を出力させる
ことを特徴とした情報処理システム。
【請求項２７】
請求項７ないし請求項２６のいずれかに記載の情報処理システムであって、
前記情報処理装置に前記ネットワークを介して各種情報を送受信可能に接続され、前記処理指示情報を生成して前記ネットワークを介して前記情報処理装置に出力する処理指示生成装置を具備した
ことを特徴とした情報処理システム。
【請求項２８】
演算手段により、情報の処理を要求する旨の要求情報に基づいて前記情報を処理する情報処理方法であって、
前記演算手段は、
前記情報の処理を要求する旨の要求情報を有する処理指示情報を取得し、
この取得した前記処理指示情報の前記要求情報に基づいて前記情報を処理するとともに、前記要求情報を配信する
ことを特徴とする情報処理方法。
【請求項２９】
請求項２８に記載の情報処理方法を演算手段に実行させる
ことを特徴とした情報処理プログラム。
【請求項３０】
請求項２９に記載の情報処理プログラムが演算手段にて読み取り可能に記録された
ことを特徴とした情報処理プログラムを記録した記録媒体。
【発明の詳細な説明】
【０００１】
【発明の属する技術分野】
本発明は、情報の処理を要求する旨の要求情報に基づいて前記情報を処理する情報処理装置、そのシステム、その方法、そのプログラム、および、そのプログラムを記録した記録媒体に関する。
【０００２】
【従来技術】
従来、ビデオレコーダやハードディスクレコーダなどの情報記録装置において、例えば放送波を用いて伝送される映像を録画可能でかつネットワークに接続可能な構成が知られている。このような情報記録装置において、例えば自宅に設置され宅外から録画予約設定を実施する場合、電子メールやＷＥＢサイトなどを利用して自動的に録画予約するシステムが知られている（例えば、特許文献１参照）。
【０００３】
この特許文献１に記載の録画予約システムは、ネットワークと、端末装置と、情報記録装置と、サーバ装置と、を備えている。ネットワークには、端末装置と、情報記録装置と、サーバ装置と、が接続されている。端末装置は、ネットワークを介してサーバ装置から録画予約に必要な番組情報を取得する。また、端末装置は、利用者により選択されたテレビ番組の番組情報をネットワークを介してサーバ装置に送信する。サーバ装置は、ネットワークを介して端末装置に番組情報を送信する。また、サーバ装置は、端末装置から受信した番組情報に基づいて情報記録装置の録画予約を実施するための録画予約指示情報を生成する。そして、この生成した録画予約指示情報を、ネットワークを介して情報記録装置に送信する。情報記録装置は、サーバ装置から録画予約指示情報を受信すると、この受信した録画予約指示情報に基づいて録画予約を実施する。
【０００４】
そして、この特許文献１に記載の録画予約システムにおいて、端末装置を用いた情報記録装置の録画予約設定は以下のように実施される。まず、利用者は、端末装置を操作してサーバ装置から番組情報を取得した後、録画予約をしたいテレビ番組を選択する。そして、この選択したテレビ番組の番組情報をサーバ装置に送信する。番組情報を受信したサーバ装置は、この受信した番組情報に基づいて録画予約指示情報を生成する。そして、この生成した録画予約指示情報を情報記録装置に送信する。録画予約指示情報を受信した情報記録装置は、この受信した録画予約指示情報に基づいて録画予約の設定処理を実施する。
【０００５】
【特許文献１】
特開２０００−６７４８８号公報（第３頁左欄−第７頁左欄）
【０００６】
【発明が解決しようとする課題】
ところで、例えばある利用者が、友人に是非視聴してもらいたいテレビ番組を見つけたとする。そして、友人が、当該テレビ番組を録画予約していないとする。このような場合、特許文献１のシステムでは、友人に連絡が取れない限り、友人の情報記録装置では当該テレビ番組を録画できない。このため、友人は前記テレビ番組を視聴できないという問題が一例として挙げられる。
【０００７】
本発明は、このような点に鑑みて、同様の情報の処理を実施させることが可能な情報処理装置、そのシステム、その方法、そのプログラム、および、そのプログラムを記録した記録媒体を提供することを目的とする。
【０００８】
【課題を解決するための手段】
請求項１に記載の発明は、情報の処理を要求する旨の要求情報を有する処理指示情報を取得する指示取得手段と、この指示取得手段にて取得した前記処理指示情報の前記要求情報に基づいて前記情報を処理する処理制御手段と、前記要求情報を配信する配信手段と、を具備したことを特徴とした情報処理装置である。
【０００９】
請求項７に記載の発明は、複数の請求項１ないし請求項４のいずれかに記載の情報処理装置と、これらの情報処理装置にネットワークを介して各種情報を送受信可能に接続され、前記ネットワークを介して前記情報処理装置のいずれか１つより配信される前記要求情報を取得する要求取得手段、および、この要求取得手段にて取得した前記要求情報を他の前記情報処理装置に配信する同報手段を備えたサーバ装置と、を備え、前記情報処理装置は、前記処理指示情報を生成し、この生成した前記処理指示情報を前記指示取得手段に出力する指示生成手段を備え、前記指示取得手段は、前記サーバ装置より配信される前記要求情報を取得し、前記配信手段は、前記要求取得手段に前記要求情報を取得させることを特徴とした情報処理システムである。
【００１０】
請求項１８に記載の発明は、ネットワークを介して各種情報を送受信可能に接続された複数の請求項１ないし請求項６のいずれかに記載の情報処理装置を具備し、前記情報処理装置は、前記処理指示情報を生成し、この生成した前記処理指示情報を他の前記情報処理装置の指示取得手段に出力する指示生成手段を備えたことを特徴とした情報処理システムである。
【００１１】
請求項２８に記載の発明は、演算手段により、情報の処理を要求する旨の要求情報に基づいて前記情報を処理する情報処理方法であって、前記演算手段は、前記情報の処理を要求する旨の要求情報を有する処理指示情報を取得し、この取得した前記処理指示情報の前記要求情報に基づいて前記情報を処理するとともに、前記要求情報を配信することを特徴とする情報処理方法である。
【００１２】
請求項２９に記載の発明は、請求項２８に記載の情報処理方法を演算手段に実行させることを特徴とした情報処理プログラムである。
【００１３】
請求項３０に記載の発明は、請求項２９に記載の情報処理プログラムが演算手段にて読み取り可能に記録されたことを特徴とした情報処理プログラムを記録した記録媒体である。
【００１４】
【発明の実施の形態】
以下に、本発明の一実施の形態を図面に基づいて説明する。なお、この一実施の形態では、任意の情報記録装置に対して設定される録画予約を、他の情報記録装置に対しても設定する録画同報システムを例示して説明するがこれに限られない。また、ここでは、情報記録装置に例えばテレビ番組の録画予約を設定する録画同報システムについて例示するが、これに限らず例えば情報記録装置にラジオ番組の録音予約を設定する録音同報システムなどとしてもよい。さらには、画像データやプログラムなどいずれの情報を、同様に処理させる構成とすることができる。
【００１５】
また、以下において、このように任意の情報記録装置に録画予約を設定するとともに、他の情報記録装置に対しても同様の録画予約を設定する処理を、グループ録画予約と適宜称して説明する。さらに、任意の情報記録装置に対してのみに録画予約を設定する処理を、通常録画予約と適宜称して説明する。図１は、本実施の形態における録画同報システムの概略構成を示すブロック図である。図２は、端末装置の概略構成を示すブロック図である。図３は、端末装置のメモリに記憶された各種情報の概略構成を示す模式図である。図４は、グループ録画予約指示情報の概略構成を示す模式図である。図５は、情報記録装置の概略構成を示すブロック図である。図６は、情報記録装置のハードディスクに記憶された各種情報の概略構成を示す模式図である。図７は、情報記録装置のＣＰＵの内部構成を示すブロック図である。図８は、グループ録画予約通知情報の概略構成を示す模式図である。図９は、サーバ装置の概略構成を示すブロック図である。図１０は、サーバ装置の記憶手段に記憶された各種情報の概略構成を示す模式図で、（Ａ）はグループリストの概略構成で、（Ｂ）は個人リストの概略構成である。図１１は、グループ録画予約同報情報の概略構成を示す模式図である。
【００１６】
［録画同報システムの構成］
図１において、１００は情報処理システムとしての録画同報システムであって、この録画同報システム１００は、ネットワーク２００と、端末装置および処理指示生成装置としての第１の端末装置３００と、端末装置および処理指示生成装置としての第２の端末装置３０１と、情報処理装置および処理対象先としての第１の情報記録装置４００と、情報処理装置および配信先としての第２の情報記録装置４０１と、情報処理装置および配信先としての第３の情報記録装置４０２と、サーバ装置６００と、を備えている。なお、ここでは、録画同報システム１００が、各情報記録装置４００，４０１，４０２の３台の装置を備えている構成について例示するが、３台以上、もしくは例えば各情報記録装置４００，４０１の２台の装置を備えた構成などとしてもよい。
【００１７】
録画同報システム１００は、上述したようにグループ録画予約を実施するシステムである。以下において、第１の情報記録装置４００に対して設定される録画予約を、当該第１の情報記録装置４００と同じグループに所属する、第２の情報記録装置４０１および第３の情報記録装置４０２に対しても設定する構成について例示する。また、このような構成において、第１の情報記録装置４００をグループ録画予約を指示する装置、第２の情報記録装置４０１および第３の情報記録装置４０２をグループ録画予約が指示される装置と適宜称して説明する。なお、ここでは、前述したような構成について例示するが、これに限らず例えば第２の情報記録装置４０１に対して設定される録画予約を、第１の情報記録装置４００や第３の情報記録装置４０２に設定させるなど、各情報記録装置４００，４０１，４０２の双方向でグループ録画予約を設定させることもできる。
【００１８】
この録画同報システム１００には、例えば各情報記録装置４００，４０１，４０２が所属するグループが登録されている。また、各情報記録装置４００，４０１，４０２は、それぞれ複数のグループに所属可能とされている。そして、この録画同報システム１００によりグループ録画予約を実施する際には、グループ録画予約が指示される例えば第２の情報記録装置４０１を、当該第２の情報記録装置４０１を有する個人単位や、当該第２の情報記録装置４０１が所属するグループ単位で選択可能とされている。
【００１９】
ネットワーク２００には、第１の端末装置３００と、第２の端末装置３０１と、第１の情報記録装置４００と、第２の情報記録装置４０１と、第３の情報記録装置４０２と、サーバ装置６００と、が接続されている。そして、ネットワーク２００は、第１の端末装置３００と、第２の端末装置３０１と、第１の情報記録装置４００と、第２の情報記録装置４０１と、第３の情報記録装置４０２と、サーバ装置６００と、を情報の送受信が可能な状態に接続する。このネットワーク２００としては、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などの汎用のプロトコルに基づくイントラネット、エクストラネット、イーサネット（登録商標）などのＬＡＮ（Ｌｏｃａｌ  Ａｒｅａ  Ｎｅｔｗｏｒｋ）、無線媒体により情報が送受信可能な複数の基地局がネットワークを構成する通信回線網や放送網などのネットワーク、さらには、第１の端末装置３００と、第２の端末装置３０１と、第１の情報記録装置４００と、第２の情報記録装置４０１と、第３の情報記録装置４０２と、サーバ装置６００との間での情報を直接送受信するための媒体となる無線媒体自体などが例示できる。ここで、無線媒体としては、電波、光、音波、電磁波などのいずれの媒体をも適用できる。
【００２０】
第１の端末装置３００および第２の端末装置３０１は、例えばＰＤＡ（Ｐｅｒｓｏｎａｌ  Ｄｉｇｉｔａｌ  Ａｓｓｉｓｔａｎｔ）、携帯電話、ＰＨＳ（Ｐｅｒｓｏｎａｌ  Ｈａｎｄｙｐｈｏｎｅ  Ｓｙｓｔｅｍ）、携帯型パーソナルコンピュータ、リモートコントローラなどが例示できる。なお、第１の端末装置３００および第２の端末装置３０１は、略同一の構成を有しているため、以下において、まず第１の端末装置３００について説明する。そして、第２の端末装置３０１については、第１の端末装置３００との差異についてのみ説明する。
【００２１】
第１の端末装置３００は、ネットワーク２００を介して、第１の情報記録装置４００と各種情報が送受信可能に接続されている。この第１の端末装置３００は、第１の情報記録装置４００の通常録画予約の設定処理や、グループ録画予約の設定処理などを実施する。そして、第１の端末装置３００は、図２に示すように、端末信号出力手段としても機能する端末設定情報取得手段としての送受信器３１０と、端末信号出力手段としての端末入力部３２０と、端末報知手段としての端末表示部３３０と、メモリ３４０と、端末信号出力手段としての処理部３５０と、などを備えている。
【００２２】
送受信器３１０は、ネットワーク２００を介して第１の情報記録装置４００およびサーバ装置６００に接続されるとともに、処理部３５０に接続されている。そして、送受信器３１０は、ネットワーク２００を介して第１の情報記録装置４００やサーバ装置６００から端末信号Ｓｔａを受信可能で、この端末信号Ｓｔａの取得により予め設定されている入力インターフェース処理を実施し、処理端末信号Ｓｔｔを処理部３５０に出力する。また、送受信器３１０は、処理部３５０からの処理端末信号Ｓｔｔの取得により予め設定されている出力インターフェース処理を実施し、端末信号Ｓｔａとしてネットワーク２００を介して第１の情報記録装置４００やサーバ装置６００に送信する。
【００２３】
端末入力部３２０は、例えばキーボードやマウスなどで、入力操作される図示しない各種操作ボタンなどを有している。この操作ボタンの入力操作としては、メモリ３４０に記憶された後述するグループ関連情報３６０を更新する際の設定、グループ録画予約や通常録画予約の設定、第１の情報記録装置４００以外の例えば第２の情報記録装置４０１などからのグループ録画予約を受け付けるか否かなどの設定事項などである。そして、端末入力部３２０は、設定事項の入力操作により、所定の処理信号Ｓｉｎを処理部３５０へ適宜出力して設定させる。なお、この端末入力部３２０としては、操作ボタンなどの操作に限らず、例えば端末表示部３３０に設けられたタッチパネルによる入力操作や音声による入力操作などにより、各種設定事項を設定入力する構成としてもよい。
【００２４】
端末表示部３３０は、例えば液晶や有機ＥＬ（Ｅｌｅｃｔｒｏ  Ｌｕｍｉｎｅｓｃｅｎｃｅ）パネル、ＰＤＰ（Ｐｌａｓｍａ  Ｄｉｓｐｌａｙ  Ｐａｎｅｌ）、ＣＲＴ（Ｃａｔｈｏｄｅ−Ｒａｙ  Ｔｕｂｅ）などである。この端末表示部３３０は、処理部３５０にて制御され処理部３５０からの処理信号Ｓｄｐを受信する。そして、この受信した処理信号Ｓｄｐに記載された画像データを表示する。この表示する画像データとしては、端末入力部３２０による各種設定事項の設定入力を促す表示画面などが例示できる。
【００２５】
メモリ３４０は、図３に示すようなグループ関連情報３６０などを適宜読み出し可能に記憶する。また、メモリ３４０は、第１の端末装置３００全体を動作制御するＯＳ（Ｏｐｅｒａｔｉｎｇ  Ｓｙｓｔｅｍ）上に展開される各種プログラムなどを記憶している。なお、メモリ３４０としては、ＨＤ（Ｈａｒｄ  Ｄｉｓｃ）や光ディスクなどの記録媒体に読み出し可能に記憶するドライブやドライバなどを備えた構成としてもよい。
【００２６】
グループ関連情報３６０は、グループ録画予約の設定処理を実施する際に用いられる情報である。このグループ関連情報３６０は、自装置ＩＤ（ｉｄｅｎｔｉｆｉｃａｔｉｏｎ）３６１と、所属グループ数情報３６２と、所属グループ情報３６３と、登録個人数情報３６４と、登録個人情報３６５と、などが１つのデータとして構成されたテーブル構造である。
【００２７】
自装置ＩＤ３６１は、第１の情報記録装置４００を特定する例えば装置ＩＤナンバなどである。
【００２８】
所属グループ数情報３６２は、第１の情報記録装置４００が所属しているグループの数に関する情報である。
【００２９】
所属グループ情報３６３は、第１の情報記録装置４００が所属する各グループに対応した、例えばナンバやグループ名などのグループを特定する固有の情報を有する複数のグループ情報３６３Ｎｊ（Ｎｊは自然数）が、１つのデータとして構成されたテーブル構造である。さらに、グループ情報３６３Ｎｊは、固有のグループＩＤナンバなどであるグループＩＤ３６３Ａと、グループ名などの付加情報であるグループ付加情報３６３Ｂと、などが１つのデータとして構成されたテーブル構造である。
【００３０】
登録個人数情報３６４は、グループ関連情報３６０に登録されている利用者の人数に関する情報である。
【００３１】
登録個人情報３６５は、各利用者に対応した、例えばナンバや名前などの利用者を特定する固有の情報を有する複数の個人情報３６５Ｎｋ（Ｎｋは自然数）が、１つのデータとして構成されたテーブル構造である。さらに、個人情報３６５Ｎｋは、固有の個人ＩＤナンバなどである個人ＩＤ３６５Ａと、利用者の名前などの付加情報である個人付加情報３６５Ｂと、などが１つのデータとして構成されたテーブル構造である。
【００３２】
処理部３５０は、図示しない各種入出力ポート、例えば送受信器３１０が接続される通信ポート、端末入力部３２０が接続されるキー入力ポート、端末表示部３３０が接続される表示制御ポート、メモリ３４０が接続される記憶ポートなどを備えている。そして、処理部３５０は、図２に示すように、各種プログラムとして、録画予約指示生成手段３５１と、録画予約受付設定手段３５２と、録画予約状況認識手段３５３と、などを構成する。なお、ここでは詳述しないが、この処理部３５０は、通常録画予約の設定を実施する機能をも有している。
【００３３】
録画予約指示生成手段３５１は、図４に示すような、処理指示情報としてのグループ録画予約指示情報３７０を生成する。このグループ録画予約指示情報３７０は、録画同報システム１００に登録された各情報記録装置４００，４０１，４０２などに対するグループ録画予約の設定処理を実施するための情報である。そして、録画予約指示生成手段３５１は、生成したグループ録画予約指示情報３７０を、ネットワーク２００を介して第１の情報記録装置４００に送信する。具体的には、録画予約指示生成手段３５１は、端末入力部３２０から入力される処理信号Ｓｉｎに基づいて、この処理信号Ｓｉｎに記載されたグループ録画予約の設定処理を開始する旨の情報を認識すると、グループ録画予約指示情報３７０を生成する。なお、録画予約指示生成手段３５１にて、グループ録画予約指示情報３７０を生成する処理については後述する。そして、生成したグループ録画予約指示情報３７０を、処理端末信号Ｓｔｔに適宜変換して送受信器３１０に出力する。
【００３４】
グループ録画予約指示情報３７０は、処理先情報としての自装置ＩＤ３７１と、配信先情報としての対象のグループＩＤ３７２と、配信先情報としての対象の個人ＩＤ３７３と、要求情報としての録画予約情報３７４と、などが１つのデータとして構成されたテーブル構造である。なお、このグループ録画予約指示情報３７０は、対象のグループＩＤ３７２または対象の個人ＩＤ３７３を有さないテーブル構造となる場合もある。
【００３５】
自装置ＩＤ３７１は、グループ録画予約を指示する第１の情報記録装置４００を特定する例えば装置ＩＤナンバなどである。
【００３６】
対象のグループＩＤ３７２は、当該グループ録画予約の対象となるグループを特定する配信先固有情報としてのグループＩＤナンバなどである。なお、この対象のグループＩＤ３７２は、複数のグループＩＤナンバなどが１つのデータとして構成されたテーブル構造となる場合もある。
【００３７】
対象の個人ＩＤ３７３は、当該グループ録画予約の対象となる第１の情報記録装置４００以外の、例えば第２の情報記録装置４０１を有する利用者を特定する例えば配信先固有情報としての個人ＩＤナンバなどである。なお、この対象の個人ＩＤ３７３は、複数の個人ＩＤナンバなどが１つのデータとして構成されたテーブル構造となる場合もある。
【００３８】
録画予約情報３７４は、録画予約をするための基本情報、例えば日付、予定時刻情報としての録画開始時刻、録画終了時刻、チャンネル番号などの情報が、１つのデータとして構成されたテーブル構造である。なお、以下において、上述したような録画予約をするための基本情報を、録画基本情報と適宜称して説明する。
【００３９】
録画予約受付設定手段３５２は、第１の情報記録装置４００以外の、例えば第２の情報記録装置４０１などからのグループ録画予約を受け付けるか否かを認識する。そして、この認識した事項を記載した予約受付設定情報を生成して、ネットワーク２００を介して第１の情報記録装置４００に送信する。具体的には、録画予約受付設定手段３５２は、送受信器３１０から入力される処理端末信号Ｓｔｔに基づいて、この処理端末信号Ｓｔｔに記載された設定要求情報としての予約受付確認情報を認識する。この予約受付確認情報には、例えば第２の情報記録装置４０１からのグループ録画予約を、受け付けるか否かの設定入力を促す旨の要求が記載されている。そして、この認識した予約受付確認情報を、適宜処理信号Ｓｄｐに変換して端末表示部３３０に出力する。この後、端末入力部３２０から入力される処理信号Ｓｉｎに基づいて、この処理信号Ｓｉｎに記載された予約受付設定情報を認識する。そして、この認識した予約受付設定情報を、処理端末信号Ｓｔｔに適宜変換して送受信器３１０に出力する。
【００４０】
録画予約状況認識手段３５３は、第１の情報記録装置４００からのグループ録画予約に対する、例えば第２の情報記録装置４０１などの録画予約状況を認識する。具体的には、録画予約状況認識手段３５３は、送受信器３１０から入力される処理端末信号Ｓｔｔに基づいて、この処理端末信号Ｓｔｔに記載された図示しないグループ録画予約状況情報を認識する。このグループ録画予約状況情報には、例えば第２の情報記録装置４０１が、第１の情報記録装置４００からのグループ録画予約を受け付けるか否かに関する情報が記載されている。そして、この認識したグループ録画予約状況情報を適宜処理信号Ｓｄｐに変換して、端末表示部３３０に出力する。
【００４１】
次に、第２の端末装置３０１について説明する。第２の端末装置３０１は、ネットワーク２００を介して、第２の情報記録装置４０１と各種情報が送受信可能に接続されている。そして、この第２の端末装置３０１は、第２の情報記録装置４０１の通常録画予約設定や、グループ録画予約設定などを実施する。
【００４２】
第１の情報記録装置４００、第２の情報記録装置４０１、および、第３の情報記録装置４０２は、例えばハードディスクレコーダ、ハードディスク内蔵型ＤＶＤ（Ｄｉｇｉｔａｌ  Ｖｅｒｓａｔｉｌｅ  Ｄｉｓｋ）レコーダなどが例示できる。なお、第１の情報記録装置４００、第２の情報記録装置４０１、および、第３の情報記録装置４０２は、略同一の構成を有しているため、以下において、第１の情報記録装置４００について説明する。
【００４３】
第１の情報記録装置４００は、第１の端末装置３００などの入力操作により情報としてのテレビ番組の録画、再生などを実施する。また、第１の端末装置３００などの入力操作によりグループ録画予約の設定が実施された場合には、例えば第２の情報記録装置４０１や第３の情報記録装置４０２などにも、このグループ録画予約の設定をさせる旨の信号を生成して、サーバ装置６００に送信する。そして、この第１の情報記録装置４００は、図５に示すように、バス４１０と、チューナ４２０と、デマルチプレクサ４３０と、デコーダ４４０と、ビデオコンポジッタ４５０と、オーディオコンポジッタ４６０と、ＯＳＤ（Ｏｎ  Ｓｃｒｅｅｎ  Ｄｉｓｐｌａｙ）４７０と、リモコン受光部４８０と、指示取得手段としてのネットワークインターフェース４９０と、信号出力部としての入力部５００と、記録媒体および処理装置記憶手段としてのハードディスク５１０と、メモリ５２０と、ＣＰＵ５３０と、などを備えている。なお、入力部５００およびＣＰＵ５３０にて、本発明の指示生成手段が構成される。
【００４４】
バス４１０は、例えばＰＣＩ（Ｐｅｒｉｐｈｅｒａｌ  Ｃｏｍｐｏｎｅｎｔ  Ｉｎｔｅｒｃｏｎｎｅｃｔ）バスや、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４バスなどが例示できる。このバス４１０には、チューナ４２０と、デマルチプレクサ４３０と、デコーダ４４０と、ビデオコンポジッタ４５０と、オーディオコンポジッタ４６０と、ＯＳＤ４７０と、リモコン受光部４８０と、ネットワークインターフェース４９０と、ハードディスク５１０と、入力部５００と、メモリ５２０と、ＣＰＵ５３０と、などが接続されている。
【００４５】
チューナ４２０には、放送波を受信するアンテナ５４０が接続されている。また、チューナ４２０は、デマルチプレクサ４３０に接続されている。さらに、チューナ４２０は、バス４１０を介してＣＰＵ５３０に接続されている。このチューナ４２０は、ＣＰＵ５３０の制御により、アンテナ５４０にて受信され、このアンテナ５４０から入力される信号Ｓａｎを取得する。そして、この取得した信号Ｓａｎを処理信号Ｓｔｙに適宜変換して、デマルチプレクサ４３０に出力する。
【００４６】
デマルチプレクサ４３０は、デコーダ４４０に接続されている。また、デマルチプレクサ４３０は、バス４１０を介してハードディスク５１０に接続されている。さらに、デマルチプレクサ４３０は、バス４１０を介してＣＰＵ５３０にも接続されている。このデマルチプレクサ４３０は、ＣＰＵ５３０の制御により、チューナ４２０から入力される処理信号Ｓｔｙを取得し、この取得した処理信号Ｓｔｙに記載された映像データと音声データとを分離する。そして、映像データを処理信号Ｓｄｅに適宜変換してデコーダ４４０やハードディスク５１０に出力する。また、音声データを処理信号Ｓｄｏに適宜変換してデコーダ４４０やハードディスク５１０に出力する。
【００４７】
デコーダ４４０は、ビデオコンポジッタ４５０に接続されている。また、デコーダ４４０は、オーディオコンポジッタ４６０にも接続されている。さらに、デコーダ４４０は、バス４１０を介してＣＰＵ５３０にも接続されている。このデコーダ４４０は、ＣＰＵ５３０の制御により、デマルチプレクサ４３０から入力される処理信号Ｓｄｅに記載された映像データを取得する。そして、この取得した映像データを映像ストリームとして復元した後に処理信号Ｓｅｉに適宜変換し、ビデオコンポジッタ４５０に出力する。また、デコーダ４４０は、ＣＰＵ５３０の制御により、デマルチプレクサ４３０から入力される処理信号Ｓｄｏに記載された音声データを取得する。そして、この取得した音声データを音声ストリームとして復元した後に処理信号Ｓｏｔに適宜変換し、オーディオコンポジッタ４６０に出力する。
【００４８】
ビデオコンポジッタ４５０は、端子部５５０Ａに接続された処理装置報知手段としても機能する映像表示部５６０に接続されている。また、ビデオコンポジッタ４５０は、バス４１０を介してＣＰＵ５３０にも接続されている。このビデオコンポジッタ４５０は、ＣＰＵ５３０の制御により、デコーダ４４０から入力される処理信号Ｓｅｉを映像信号Ｓｐｉに適宜変換する。そして、この変換した映像信号Ｓｐｉを端子部５５０Ａに接続された映像表示部５６０に出力し、映像ストリームを映像表示部５６０に表示させる。さらに、ビデオコンポジッタ４５０は、バス４１０を介してハードディスク５１０にも接続されている。そして、ビデオコンポジッタ４５０は、第１の情報記録装置４００にてテレビ番組の録画を実施する場合には、ＣＰＵ５３０の制御により、映像信号Ｓｐｉを映像表示部５６０に出力するとともに、ハードディスク５１０にも出力する。なお、第１の情報記録装置４００において、映像データのストリーム記録を実施する場合には、第１の情報記録装置４００は、デマルチプレクサ４３０にて、映像データが記載された処理信号Ｓｄｅをハードディスク５１０に出力する。
【００４９】
オーディオコンポジッタ４６０は、端子部５５０Ｂに接続された音声出力部５７０に接続されている。また、オーディオコンポジッタ４６０は、バス４１０を介してＣＰＵ５３０にも接続されている。このオーディオコンポジッタ４６０は、ＣＰＵ５３０の制御により、デコーダ４４０から入力される処理信号Ｓｏｔを音声信号Ｓｓｕに適宜変換する。そして、この変換した音声信号Ｓｓｕを端子部５５０Ｂに接続された音声出力部５７０に出力し、音声ストリームを音声出力部５７０から出力させる。さらに、オーディオコンポジッタ４６０は、バス４１０を介してハードディスク５１０にも接続されている。そして、オーディオコンポジッタ４６０は、第１の情報記録装置４００にてテレビ番組の録画を実施する場合には、ＣＰＵ５３０の制御により、音声信号Ｓｓｕを音声出力部５７０に出力するとともに、ハードディスク５１０にも出力する。なお、第１の情報記録装置４００において、音声データのストリーム記録を実施する場合には、第１の情報記録装置４００は、デマルチプレクサ４３０にて、音声データが記載された処理信号Ｓｄｏをハードディスク５１０に出力する。
【００５０】
ＯＳＤ４７０は、映像表示部５６０に接続されている。また、ＯＳＤ４７０は、バス４１０を介してＣＰＵ５３０にも接続されている。このＯＳＤ４７０は、ＣＰＵ５３０の制御により、ＣＰＵ５３０から入力される、例えば映像表示部５６０の調整状態や動作状態などの情報や、グループ録画予約を受け付けるか否かの設定入力を促す旨などの情報などが記載された処理信号Ｓｕｋを取得する。そして、この取得した処理信号Ｓｕｋに記載された各種情報を、ＯＳＤ信号Ｓｏｓに適宜変換する。この後、この変換したＯＳＤ信号Ｓｏｓを映像表示部５６０に出力し、ビデオコンポジッタ４５０からの映像信号Ｓｐｉにより映像表示部５６０に表示される映像ストリームに、上述した情報や画像などを適宜重畳させて表示させる。
【００５１】
リモコン受光部４８０は、バス４１０を介してＣＰＵ５３０に接続されている。このリモコン受光部４８０は、例えば通常録画予約を設定する指示やグループ録画予約指示情報３７０を生成可能な、図示しないリモートコントローラ（以下、リモコンと略す）から出力される例えば赤外線を受光する。そして、この赤外線が有する信号を処理信号Ｓｊｍに適宜変換してＣＰＵ５３０に出力する。
【００５２】
ネットワークインターフェース４９０は、ネットワーク２００を介して第１の端末装置３００およびサーバ装置６００に接続されるとともに、バス４１０を介してＣＰＵ５３０に接続されている。このネットワークインターフェース４９０は、ネットワーク２００を介して入力される第１の端末装置３００やサーバ装置６００からの記録装置信号Ｓｊｋを受信する。そして、この記録装置信号Ｓｊｋの取得により、予め設定されている入力インターフェース処理を実施し、処理記録装置信号ＳｊｉをＣＰＵ５３０に出力する。また、ネットワークインターフェース４９０は、ＣＰＵ５３０からの処理記録装置信号Ｓｊｉの取得により、予め設定されている出力インターフェース処理を実施する。そして、この実施結果を記録装置信号Ｓｊｋとして、ネットワーク２００を介して第１の端末装置３００やサーバ装置６００に送信する。
【００５３】
入力部５００は、例えば第１の情報記録装置４００の正面に配設された各種操作ボタンなどである。この操作ボタンの入力操作としては、映像表示部５６０に表示される映像の早送りや早戻し、通常録画予約を設定する情報やグループ録画予約指示情報３７０の生成、例えば第２の情報記録装置４０１などからのグループ録画予約を受け付けるか否かなどの設定事項などである。入力部５００は、バス４１０を介してＣＰＵ５３０に接続されている。この入力部５００は、設定事項の入力操作により、所定の処理信号ＳｉｍをＣＰＵ５３０へ適宜出力して設定させる。なお、入力部５００としては、操作ボタンなどの操作に限らず、例えば映像表示部５６０に設けられたタッチパネルによる入力操作や、音声による入力操作などにより、各種設定事項を設定入力する構成としてもよい。
【００５４】
ハードディスク５１０は、バス４１０を介してメモリ５２０、ＣＰＵ５３０に接続されている。このハードディスク５１０は、図６に示すように、装置管理情報５１１と、グループ関連情報５１２と、個人管理情報５１３と、録画予約リスト５１４と、コンテンツリスト５１５と、コンテンツ５１６と、などを記憶している。
【００５５】
装置管理情報５１１は、例えば型式などの第１の情報記録装置４００に関連する情報である。
【００５６】
グループ関連情報５１２は、グループ録画予約の設定処理を実施する際に用いられる情報である。このグループ関連情報５１２は、第１の端末装置３００、入力部５００、リモコンなどの設定入力により適宜更新される。このグループ関連情報５１２は、第１の端末装置３００のメモリ３４０に記憶されたグループ関連情報３６０と同様に、自装置情報としての自装置ＩＤ５１２Ａと、所属グループ数情報５１２Ｂと、所属グループ情報５１２Ｃと、登録個人数情報５１２Ｄと、登録個人情報５１２Ｅと、などが１つのデータとして構成されたテーブル構造である。
【００５７】
所属グループ情報５１２Ｃは、第１の情報記録装置４００が所属する各グループに対応した、複数のグループ情報５１２ＣＮｊ（Ｎｊは自然数）が１つのデータとして構成されたテーブル構造である。さらに、グループ情報５１２ＣＮｊは、グループＩＤ３６３Ａと同様の所属グループ情報としてのグループＩＤ５１２Ｆと、グループ付加情報３６３Ｂと同様のグループ付加情報５１２Ｇと、などが１つのデータとして構成されたテーブル構造である。
【００５８】
登録個人情報５１２Ｅは、各利用者に対応した複数の個人情報５１２ＥＮｒ（Ｎｒは自然数）が１つのデータとして構成されたテーブル構造である。さらに、個人情報５１２ＥＮｒは、個人ＩＤ３６５Ａと同様の個人ＩＤ５１２Ｈと、個人付加情報３６５Ｂと同様の個人付加情報５１２Ｉと、などが１つのデータとして構成されたテーブル構造である。
【００５９】
個人管理情報５１３は、第１の情報記録装置４００を有する利用者に関連する情報である。この個人管理情報５１３は、第１の端末装置３００、入力部５００、リモコンなどの設定入力により適宜更新される。この個人管理情報５１３は、メールアドレス５１３Ａと、電話番号５１３Ｂと、個人ＩＤ５１３Ｃと、などが１つのデータとして構成されたテーブル構造である。
【００６０】
録画予約リスト５１４は、第１の情報記録装置４００に対して設定された通常録画予約およびグループ録画予約に関する情報である。この録画予約リスト５１４は、設定予約数情報５１４Ａと、設定予約情報５１４Ｂと、などが１つのデータとして構成されたテーブル構造である。
【００６１】
設定予約数情報５１４Ａは、第１の情報記録装置４００に対して設定された録画予約の数に関する情報である。この設定予約数情報５１４Ａにより示される録画予約の数は、通常録画予約やグループ録画予約が設定された際に増やされ、当該録画予約により設定された録画が終了した際などに減らされる。
【００６２】
設定予約情報５１４Ｂは、録画予約に関する情報を有する複数の予約情報５１４ＢＮｒ（Ｎｒは自然数）が、１つのデータとして構成されたテーブル構造である。この予約情報５１４ＢＮｒは、通常録画予約やグループ録画予約が設定された際に録画予約リスト５１４に組み込まれ、当該録画予約により設定された録画が終了した際などに録画予約リスト５１４から削除される。また、予約情報５１４ＢＮｒは、録画予約ＩＤ５１４Ｃと、グループＩＤ５１４Ｄと、録画予約情報５１４Ｅと、などが１つのデータとして構成されたテーブル構造である。
【００６３】
録画予約ＩＤ５１４Ｃは、通常録画予約やグループ録画予約が設定された際に当該録画予約に対して付与される例えば録画予約ＩＤナンバなどである。なお、この録画予約ＩＤは、当該録画予約により設定された録画が終了すると、録画されたコンテンツのコンテンツＩＤとして、コンテンツリスト５１５に組み込まれる。
【００６４】
グループＩＤ５１４Ｄは、グループ録画予約が設定される際に、当該グループ録画予約の対象とされているグループを特定する例えばグループＩＤナンバなどである。なお、通常録画予約が設定される際には、このグループＩＤ５１４Ｄは、予約情報５１４ＢＮｒに組み込まれない。
【００６５】
録画予約情報５１４Ｅは、録画をする日付、録画開始時刻、録画終了時刻、チャンネル番号などの録画基本情報が、１つのデータとして構成されたテーブル構造である。
【００６６】
コンテンツリスト５１５は、ハードディスク５１０に記憶されたコンテンツ５１６のタイトル、コンテンツＩＤ、録画時間や、コンテンツ５１６が録画された日時などの情報が、１つのデータとして構成されたテーブル構造である。
【００６７】
コンテンツ５１６は、例えばアンテナ５４０により受信されたテレビ番組などの、映像データや音声データなどである。このコンテンツ５１６の映像データは、ビデオコンポジッタ４５０から入力される映像信号Ｓｐｉに記載された映像ストリームや、デマルチプレクサ４３０から入力される処理信号Ｓｄｅに記載された映像データである。また、音声データは、オーディオコンポジッタ４６０から入力される音声信号Ｓｓｕに記載された音声ストリームや、デマルチプレクサ４３０から入力される処理信号Ｓｄｏに記載された音声データである。
【００６８】
メモリ５２０は、バス４１０を介してＣＰＵ５３０に接続されている。このメモリ５２０は、ＣＰＵ５３０から入力されるグループ録画予約指示情報３７０、後述するグループ録画予約同報情報６６０、各種情報などを、適宜読み出し可能に記憶する。また、このメモリ５２０は、第１の情報記録装置４００全体を動作制御するＯＳ（Ｏｐｅｒａｔｉｎｇ  Ｓｙｓｔｅｍ）上に展開される各種プログラムなどを記憶している。
【００６９】
ＣＰＵ５３０は、図７に示すように、各種プログラムとして、処理制御手段としても機能する配信制御手段としての受信情報識別手段５３１と、処理制御手段としての録画手段５３２と、配信手段および同報通知生成手段としての録画予約通知生成手段５３３と、要求受付確認手段および設定要求生成手段としての録画予約受付確認手段５３４と、処理装置計時手段としての記録装置計時手段５３５と、などを備えている。
【００７０】
受信情報識別手段５３１は、例えば第１の端末装置３００から受信するグループ録画予約指示情報３７０や、サーバ装置６００から受信するグループ録画予約同報情報６６０に基づいて、グループ録画予約の設定処理を正常に実施できるか否かを判断する。なお、以下において、上述したような処理を、グループ録画予約指示情報３７０やグループ録画予約同報情報６６０の有効性を識別する処理と適宜称して説明する。そして、グループ録画予約指示情報３７０やグループ録画予約同報情報６６０に基づいて、グループ録画予約を実施するか否かを判断する。具体的には、受信情報識別手段５３１は、例えばネットワークインターフェース４９０から入力される処理記録装置信号Ｓｊｉに基づいて、この処理記録装置信号Ｓｊｉに記載されたグループ録画予約指示情報３７０やグループ録画予約同報情報６６０を取得する。そして、取得したグループ録画予約指示情報３７０やグループ録画予約同報情報６６０を、メモリ信号Ｓｍｅに適宜変換してメモリ５２０に出力する。そして、グループ録画予約指示情報３７０やグループ録画予約同報情報６６０に記載された各種情報を、メモリ５２０からメモリ信号Ｓｍｅとして適宜読み出し処理し、グループ録画予約指示情報３７０やグループ録画予約同報情報６６０の有効性を識別する。また、受信情報識別手段５３１は、入力部５００から入力される処理信号Ｓｉｍに記載された、グループ録画予約指示情報３７０を取得した際にも、上述したようにグループ録画予約指示情報３７０の有効性を識別する。なお、受信情報識別手段５３１にて、グループ録画予約指示情報３７０や、グループ録画予約同報情報６６０の有効性を識別する処理の詳細については後述する。
【００７１】
録画手段５３２は、第１の情報記録装置４００の録画予約の設定を実施する。具体的には、録画手段５３２は、受信情報識別手段５３１により、グループ録画予約指示情報３７０やグループ録画予約同報情報６６０に基づいて、グループ録画予約を実施すると判断された場合に、第１の情報記録装置４００に対するグループ録画予約を実施する。なお、録画手段５３２にて、第１の情報記録装置４００のグループ録画予約を実施する処理については後述する。
【００７２】
また、録画手段５３２は、例えばネットワークインターフェース４９０から入力される処理記録装置信号Ｓｊｉに基づいて、例えば以下のようにして第１の情報記録装置４００に対する通常録画予約を実施する。録画手段５３２は、ネットワークインターフェース４９０から入力される処理記録装置信号Ｓｊｉに記載された、通常録画予約を設定する旨の図示しない通常録画予約指示情報を取得する。そして、取得した通常録画予約指示情報を、メモリ信号Ｓｍｅに適宜変換してメモリ５２０に出力する。そして、通常録画予約指示情報に組み込まれた図示しない録画予約情報を、メモリ信号Ｓｍｅとして適宜読み出す。また、読み出した録画予約情報に対応する録画予約ＩＤナンバを生成する。この後、読み出した録画予約情報を録画予約情報５１４Ｅとして、生成した録画予約ＩＤナンバを録画予約ＩＤ５１４Ｃとして組み込んだ予約情報５１４ＢＮｒを生成する。この後、予約情報５１４ＢＮｒをハードディスク５１０の録画予約リスト５１４に組み込むとともに、設定予約数情報５１４Ａにより示される録画予約の数を１だけ増やす。なお、通常録画予約に対応する予約情報５１４ＢＮｒは、グループＩＤ５１４Ｄが組み込まれていないテーブル構造となる。
【００７３】
さらに、録画手段５３２は、予約情報５１４ＢＮｒに基づいて、例えば以下のようにしてテレビ番組の録画を実施する。録画手段５３２は、記録装置計時手段５３５より常時現在日時を取得する。そして、現在日時が予約情報５１４ＢＮｒに組み込まれた録画予約情報５１４Ｅの録画開始時刻になったことを認識すると、チューナ４２０にアンテナ５４０から映像データや音声データを有する信号Ｓａｎを取得させる。そして、この取得させた信号Ｓａｎが有する映像データや音声データを、デマルチプレクサ４３０、デコーダ４４０、ビデオコンポジッタ４５０、オーディオコンポジッタ４６０を介して、ハードディスク５１０に出力させコンテンツ５１６として記憶させる。なお、テレビ番組をストリーム記録させる場合には、録画手段５３２は、信号Ｓａｎが有する映像データや音声データを、デマルチプレクサ４３０を介して、ハードディスク５１０に出力させコンテンツ５１６として記憶させる。また、録画手段５３２にてテレビ番組の録画を実施する処理については、デマルチプレクサ４３０やデコーダ４４０などを介してハードディスク５１０に記憶させる処理、デマルチプレクサ４３０のみを介してハードディスク５１０に記憶させる処理のいずれも適用できる。この後、現在日時が録画予約情報５１４Ｅの録画終了時刻になったことを認識すると、チューナ４２０に信号Ｓａｎの取得を停止させ録画を終了させる。そして、この録画に対応する予約情報５１４ＢＮｒをハードディスク５１０から削除するとともに、設定予約数情報５１４Ａにより示される録画予約の数を１つ減らす。
【００７４】
録画予約通知生成手段５３３は、図８に示すような、同報通知情報としてのグループ録画予約通知情報５８０を生成する。このグループ録画予約通知情報５８０は、サーバ装置６００に、第１の情報記録装置４００以外の例えば第２の情報記録装置４０１などに対してグループ録画予約の設定処理を実施させるための情報である。そして、録画予約通知生成手段５３３は、生成したグループ録画予約通知情報５８０をネットワーク２００を介してサーバ装置６００に送信する。具体的には、録画予約通知生成手段５３３は、受信情報識別手段５３１により、グループ録画予約指示情報３７０やグループ録画予約同報情報６６０に基づいて、グループ録画予約を実施すると判断された場合に、グループ録画予約通知情報５８０を生成する。なお、録画予約通知生成手段５３３にて、グループ録画予約通知情報５８０を生成する処理については後述する。そして、生成したグループ録画予約通知情報５８０を処理記録装置信号Ｓｊｉに適宜変換して、ネットワークインターフェース４９０に出力する。
【００７５】
グループ録画予約通知情報５８０は、配信元情報としての指示元の装置ＩＤ５８１と、録画予約ＩＤ５８２と、同報先グループ情報としての対象のグループＩＤ５８３と、同報先情報としての対象の個人ＩＤ５８４と、要求情報としても機能する録画予約情報５８５と、などが１つのデータとして構成されたテーブル構造である。なお、このグループ録画予約通知情報５８０は、対象のグループＩＤ５８３または対象の個人ＩＤ５８４を有さないテーブル構造となる場合もある。
【００７６】
指示元の装置ＩＤ５８１は、グループ録画予約を指示する第１の情報記録装置４００を特定する例えば配信元固有情報としての装置ＩＤナンバなどである。
【００７７】
録画予約ＩＤ５８２は、グループ録画予約通知情報５８０により設定されるグループ録画予約を特定する例えば録画予約ＩＤナンバなどである。
【００７８】
対象のグループＩＤ５８３は、当該グループ録画予約の対象となるグループを特定する配信先グループ固有情報としても機能する同報先固有情報および同報先グループ固有情報としてのグループＩＤナンバなどである。なお、この対象のグループＩＤ５８３は、複数のグループＩＤナンバなどが、１つのデータとして構成されたテーブル構造となる場合もある。
【００７９】
対象の個人ＩＤ５８４は、当該グループ録画予約の対象となる第１の情報記録装置４００以外の例えば第２の情報記録装置４０１を有する利用者を特定する同報先固有情報としての個人ＩＤナンバなどである。なお、この対象の個人ＩＤ５８４は、複数の個人ＩＤナンバなどが、１つのデータとして構成されたテーブル構造となる場合もある。
【００８０】
録画予約情報５８５は、録画をする日付、録画開始時刻、録画終了時刻、チャンネル番号などの録画基本情報が、１つのデータとして構成されたテーブル構造である。
【００８１】
録画予約受付確認手段５３４は、第１の情報記録装置４００以外の例えば第２の情報記録装置４０１などからの、グループ録画予約を受け付けるか否かを認識する。そして、この認識した情報を記載した図示しない処理設定情報としてのグループ録画設定情報を生成して、ネットワーク２００を介してサーバ装置６００に送信する。具体的には、録画予約受付確認手段５３４は、受信情報識別手段５３１により、グループ録画予約同報情報６６０が有効であると判断された場合に、利用者に当該グループ録画予約同報情報６６０により設定されるグループ録画予約、例えば第２の情報記録装置４０１により設定されるグループ録画予約を受け付けるか否かの設定入力を促す。この後、利用者による設定入力に基づいてグループ録画設定情報を生成する。そして、この生成したグループ録画予約設定情報を、処理記録装置信号Ｓｊｉに適宜変換してネットワークインターフェース４９０に出力する。なお、録画予約受付確認手段５３４にて、利用者にグループ録画予約を受け付けるか否かの設定入力を促す処理、および、グループ録画設定情報を生成する処理については後述する。
【００８２】
記録装置計時手段５３５は、例えば内部クロックなどの基準パルスに基づいて現在時刻を認識する。そして、この記録装置計時手段５３５は、認識した現在時刻に関する時刻情報を適宜出力する。
【００８３】
サーバ装置６００は、ネットワーク２００を介して受信するグループ録画予約通知情報５８０に基づいて、当該グループ録画予約通知情報５８０を送信した第１の情報記録装置４００以外の、例えば第２の情報記録装置４０１や第３の情報記録装置４０２などに対するグループ録画予約を実施する。このサーバ装置６００は、図９に示すように、要求取得手段としてのインターフェース６１０と、サーバ記憶手段としての記憶手段６２０と、ＣＰＵ６３０と、などを備えている。
【００８４】
インターフェース６１０は、ネットワーク２００を介して第１の端末装置３００、第２の端末装置３０１、第１の情報記録装置４００、第２の情報記録装置４０１、第３の情報記録装置４０２に接続されるとともに、ＣＰＵ６３０に接続されている。そして、インターフェース６１０は、ネットワーク２００を介して各端末装置３００，３０１、各情報記録装置４００，４０１，４０２からサーバ信号Ｓｂａを受信可能で、このサーバ信号Ｓｂａの取得により予め設定されている入力インターフェース処理を実施し、処理サーバ信号ＳｂｂをＣＰＵ６３０に出力する。また、インターフェース６１０は、ＣＰＵ６３０からの処理サーバ信号Ｓｂｂの取得により予め設定されている出力インターフェース処理を実施し、サーバ信号Ｓｂａとしてネットワーク２００を介して各端末装置３００，３０１、各情報記録装置４００，４０１，４０２に適宜送信する。
【００８５】
記憶手段６２０は、図１０（Ａ）に示すようなグループリスト６４０と、図１０（Ｂ）に示すような個人リスト６５０と、などを適宜読み出し可能に記憶する。これらグループリスト６４０および個人リスト６５０は、例えばネットワーク２００を介して実施される各端末装置３００，３０１や、各情報記録装置４００，４０１，４０２などの設定入力などにより適宜更新される。また、記憶手段６２０は、サーバ装置６００全体を動作制御するＯＳ（Ｏｐｅｒａｔｉｎｇ  Ｓｙｓｔｅｍ）上に展開される各種プログラムなどを記憶している。なお、記憶手段６２０としては、ＨＤ（Ｈａｒｄ  Ｄｉｓｃ）や光ディスクなどの記録媒体に読み出し可能に記憶するドライブやドライバなどを備えた構成としてもよい。
【００８６】
グループリスト６４０は、録画同報システム１００に登録された例えば第１の情報記録装置４００、第２の情報記録装置４０１、第３の情報記録装置４０２などから構成されるグループのリストである。このグループリスト６４０は、登録グループ数情報６４１と、登録グループ情報６４２と、などが１つのデータとして構成されたテーブル構造である。
【００８７】
登録グループ数情報６４１は、グループリスト６４０に登録されているグループの数に関する情報である。
【００８８】
登録グループ情報６４２は、各グループに対応した例えばナンバやグループ名などのグループを特定する固有の情報を有する複数のグループ情報６４２Ｎｇ（Ｎｇは自然数）が、１つのデータとして構成されたテーブル構造である。さらに、グループ情報６４２Ｎｇは、登録グループ情報としてのグループＩＤ６４２Ａと、グループ付加情報６４２Ｂと、装置数情報６４２Ｃと、所属装置ＩＤ６４２Ｄと、などが１つのデータとして構成されたテーブル構造である。
【００８９】
グループＩＤ６４２Ａは、当該グループを特定する例えばグループＩＤナンバなどである。
【００９０】
グループ付加情報６４２Ｂは、例えばグループ名などの当該グループに関する付加情報である。
【００９１】
装置数情報６４２Ｃは、当該グループに所属する装置の数に関する情報である。
【００９２】
所属装置ＩＤ６４２Ｄは、当該グループに所属する例えば情報記録装置４００に対応した例えばナンバなどの情報記録装置４００を特定する固有の情報を有する複数の装置ＩＤ６４２ＤＮｍ（Ｎｍは自然数）が、１つのデータとして構成されたテーブル構造である。この装置ＩＤ６４２ＤＮｍは、例えば第１の情報記録装置４００を特定する例えば装置ＩＤナンバなどである。
【００９３】
個人リスト６５０は、録画同報システム１００に登録された利用者のリストである。この個人リスト６５０は、登録個人数情報６５１と、登録個人情報６５２と、などが１つのデータとして構成されたテーブル構造である。
【００９４】
登録個人数情報６５１は、個人リスト６５０に登録されている利用者の数に関する情報である。
【００９５】
登録個人情報６５２は、各利用者に対応した例えばナンバや名前などの利用者を特定する固有の情報を有する複数の個人情報６５２Ｎｋ（Ｎｋは自然数）が、１つのデータとして構成されたテーブル構造である。さらに、個人情報６５２Ｎｋは、登録装置情報としての個人ＩＤ６５２Ａと、名前６５２Ｂと、メールアドレス６５２Ｃと、電話番号６５２Ｄと、装置ＩＤ６５２Ｅと、などが１つのデータとして構成されたテーブル構造である。
【００９６】
個人ＩＤ６５２Ａ、名前６５２Ｂ、メールアドレス６５２Ｃ、電話番号６５２Ｄは、それぞれ当該利用者を特定する例えば個人ＩＤナンバ、名前、メールアドレス、電話番号などである。
【００９７】
装置ＩＤ６５２Ｅは、当該利用者が有する例えば第１の情報記録装置４００を特定する例えば装置ＩＤナンバなどである。
【００９８】
ＣＰＵ６３０は、記憶手段６２０に接続されている。そして、ＣＰＵ６３０は、図９に示すように、各種プログラムとして、同報制御手段としての受信通知識別手段６３１と、同報手段としての録画予約同報生成手段６３２と、同報制御手段としても機能する設定情報配信手段としての録画予約状況情報生成手段６３３と、サーバ計時手段６３４と、などを備えている。
【００９９】
受信通知識別手段６３１は、例えば第１の情報記録装置４００から受信するグループ録画予約通知情報５８０に基づいて、グループ録画予約の設定処理を正常に実施できるか否かを判断する。なお、以下において、上述したような処理を、グループ録画予約通知情報５８０の有効性を識別する処理と適宜称して説明する。そして、グループ録画予約通知情報５８０に基づいて、例えば第２の情報記録装置４０１などに、グループ録画予約を実施させるか否かを判断する。具体的には、受信通知識別手段６３１は、インターフェース６１０から入力される処理サーバ信号Ｓｂｂに基づいて、この処理サーバ信号Ｓｂｂに記載されたグループ録画予約通知情報５８０を取得する。そして、取得したグループ録画予約通知情報５８０を、メモリ信号Ｓｍｆに適宜変換して記憶手段６２０に出力する。そして、グループ録画予約通知情報５８０を、記憶手段６２０からメモリ信号Ｓｍｆとして適宜読み出し処理し、グループ録画予約通知情報５８０の有効性を識別する。なお、受信通知識別手段６３１にて、グループ録画予約通知情報５８０の有効性を識別する処理の詳細については後述する。
【０１００】
録画予約同報生成手段６３２は、図１１に示すような、グループ録画予約同報情報６６０を生成する。このグループ録画予約同報情報６６０は、グループ録画予約通知情報５８０を送信した第１の情報記録装置４００以外の例えば第２の情報記録装置４０１などに対して、グループ録画予約の設定処理を実施するための情報である。そして、録画予約同報生成手段６３２は、生成したグループ録画予約同報情報６６０を、ネットワークを介して、例えば第２の情報記録装置４０１などに配信する。具体的には、録画予約同報生成手段６３２は、受信通知識別手段６３１により、グループ録画予約通知情報５８０が有効であると判断された場合に、グループ録画予約同報情報６６０を生成する。なお、録画予約同報生成手段６３２にて、グループ録画予約同報情報６６０を生成する処理については後述する。そして、生成したグループ録画予約同報情報６６０を、処理サーバ信号Ｓｂｂに適宜変換してインターフェース６１０に出力する。
【０１０１】
グループ録画予約同報情報６６０は、処理先情報としての指示先の装置ＩＤ６６１と、指示元の装置ＩＤ６６２と、録画予約ＩＤ６６３と、処理先グループ情報としての対象のグループＩＤ６６４と、要求情報としても機能する録画予約情報６６５と、などが１つのデータとして構成されたテーブル構造である。なお、このグループ録画予約同報情報６６０は、対象のグループＩＤ６６４を有さないテーブル構造となる場合もある。
【０１０２】
指示先の装置ＩＤ６６１は、当該グループ録画予約の対象となるグループに所属する当該グループ録画予約を指示する装置以外の装置、すなわち例えば第２の情報記録装置４０１を特定する例えば装置ＩＤナンバなどである。なお、この指示先の装置ＩＤ６６１は、複数の例えば装置ＩＤナンバなどが１つのデータとして構成されたテーブル構造とはならない。すなわち、指示先の装置ＩＤ６６１により特定される装置は、常に１つの装置である。
【０１０３】
指示元の装置ＩＤ６６２は、グループ録画予約を指示する例えば第１の情報記録装置４００を特定する例えば装置ＩＤナンバなどである。
【０１０４】
録画予約ＩＤ６６３は、当該グループ録画予約を特定する例えば録画予約ＩＤナンバなどである。
【０１０５】
対象のグループＩＤ６６４は、当該グループ録画予約の対象となるグループを特定する例えばグループＩＤナンバなどである。
【０１０６】
録画予約情報６６５は、録画をする日付、録画開始時刻、録画終了時刻、チャンネル番号などの録画基本情報が、１つのデータとして構成されたテーブル構造である。
【０１０７】
録画予約状況情報生成手段６３３は、録画予約同報生成手段６３２からのグループ録画予約同報情報６６０を受信した例えば第２の情報記録装置４０１が、当該グループ録画予約同報情報６６０により設定されるグループ録画予約を受け付けるか否かを認識する。そして、この認識した情報を有するグループ録画予約状況情報を生成して、ネットワーク２００を介して第１の情報記録装置４００に送信する。なお、録画予約状況情報生成手段６３３にて、グループ録画予約状況情報を生成する処理については後述する。
【０１０８】
サーバ計時手段６３４は、例えば内部クロックなどの基準パルスに基づいて現在時刻を認識する。そして、このサーバ計時手段６３４は、認識した現在時刻に関する時刻情報を適宜出力する。
【０１０９】
［録画同報システムの動作］
次に、録画同報システム１００の動作を図１２ないし図１４に基づいて説明する。なお、以下において、第１の情報記録装置４００に対して設定されるグループ録画予約を、当該第１の情報記録装置４００と同じグループに所属する、第２の情報記録装置４０１および第３の情報記録装置４０２に対して設定する構成について例示する。また、グループ録画予約が指示される装置、すなわち第２の情報記録装置４０１および第３の情報記録装置４０２の特定を、グループ単位で行う構成について例示する。さらに、以下において、第１の端末装置３００にて、グループ録画予約指示情報３７０が生成されたときの、録画同報システム１００の動作について例示する。図１２は、グループ録画予約指示情報を受信した情報記録装置におけるグループ録画予約の設定処理を示すフローチャートである。図１３は、サーバ装置におけるグループ録画予約の設定処理を示すフローチャートである。図１４は、グループ録画予約同報情報を受信した情報記録装置におけるグループ録画予約の設定処理を示すフローチャートである。
【０１１０】
（グループ録画予約指示情報を受信した情報記録装置におけるグループ録画予約の設定処理）
まず、グループ録画予約指示情報３７０を受信した第１の情報記録装置４００におけるグループ録画予約の設定処理について、図１２に基づいて説明する。
【０１１１】
利用者は、当該利用者が所属するグループに対するグループ録画予約の設定をするために、第１の端末装置３００にて、例えば以下のようにしてグループ録画予約指示情報３７０を生成する。
【０１１２】
利用者は、第１の端末装置３００の端末入力部３２０にて、グループ録画予約の設定処理を開始する旨の設定入力を実施する。
【０１１３】
第１の端末装置３００は、録画予約指示生成手段３５１にて、グループ録画予約の設定処理を開始する旨の設定入力を認識すると、グループ録画予約の対象とするグループや友人を特定する情報の設定入力を促すための表示画面を、端末表示部３３０に表示させる。このとき、端末表示部３３０に表示させる表示画面としては、グループＩＤナンバや個人名などの入力を促す旨のものや、グループ名や個人ＩＤナンバなどを端末表示部３３０に表示させて、この表示させた中からいずれかを選択させる旨のものなどが例示できる。
【０１１４】
利用者は、端末表示部３３０に表示された表示画面に基づき、端末入力部３２０にて、グループ録画予約の対象とするグループ名、グループＩＤナンバ、個人名、個人ＩＤナンバ、などを設定入力する。ここでは、第２の情報記録装置４０１および第３の情報記録装置４０２をグループ単位で特定するので、各情報記録装置４００，４０１，４０２が所属するグループ名やグループＩＤナンバなどを設定入力する。
【０１１５】
録画予約指示生成手段３５１は、グループ録画予約の対象となるグループ名やグループＩＤナンバなどの設定入力を認識すると、メモリ３４０に記憶されたグループ関連情報３６０から、認識したグループ名やグループＩＤナンバなどと同一のグループ付加情報３６３ＢやグループＩＤ３６３Ａが組み込まれたグループ情報３６３Ｎｊを検索する。そして、グループ関連情報３６０に、上述した条件に一致するグループ情報３６３Ｎｊが組み込まれている場合には、そのグループ情報３６３ＮｊのグループＩＤ３６３Ａを読み出す。なお、複数のグループ名やグループＩＤナンバなどが設定入力された場合には、複数のグループ情報３６３ＮｊのグループＩＤ３６３Ａを適宜読み出す。
【０１１６】
また、録画予約指示生成手段３５１は、グループ録画予約の対象となる個人名や個人ＩＤナンバなどの設定入力を認識すると、メモリ３４０に記憶されたグループ関連情報３６０から、認識した個人名や個人ＩＤナンバなどと同一の個人付加情報３６５Ｂや個人ＩＤ３６５Ａが組み込まれた個人情報３６５Ｎｋを検索する。そして、グループ関連情報３６０に、上述した条件に一致する個人情報３６５Ｎｋが組み込まれている場合には、その個人情報３６５Ｎｋの個人ＩＤ３６５Ａを読み出す。なお、複数の個人名や個人ＩＤナンバなどが設定入力された場合には、複数の個人情報３６５Ｎｋの個人ＩＤ３６５Ａを適宜読み出す。
【０１１７】
次に、録画予約指示生成手段３５１は、録画基本情報の設定入力を促すための表示画面を端末表示部３３０に表示させる。
【０１１８】
利用者は、端末表示部３３０に表示された表示画面に基づき、端末入力部３２０にて、録画基本情報を設定入力する。
【０１１９】
録画予約指示生成手段３５１は、録画基本情報の設定入力を認識すると、この認識した録画基本情報を読み出す。この後、メモリ３４０に記憶されたグループ関連情報３６０から自装置ＩＤ３６１を読み出す。
【０１２０】
そして、録画予約指示生成手段３５１は、読み出した自装置ＩＤ３６１を自装置ＩＤ３７１として、グループＩＤ３６３Ａを対象のグループ３７２として、個人ＩＤ３６５Ａを対象の個人ＩＤ３７３として、録画基本情報を録画予約情報３７４として組み込んだグループ録画予約指示情報３７０を生成する。なお、ここでは、利用者によりグループ名やグループＩＤナンバなどが設定入力されているので、グループ録画予約指示情報３７０は、対象の個人ＩＤ３７３が組み込まれていないテーブル構造となる。この後、この生成したグループ録画予約指示情報３７０を、ネットワーク２００を介して、第１の情報記録装置４００に送信する。
【０１２１】
第１の情報記録装置４００は、第１の端末装置３００より送信されたグループ録画予約指示情報３７０を受信する（ステップＳ１０１）と、受信情報識別手段５３１にて、この受信したグループ録画予約指示情報３７０をメモリ５２０に適宜読み出し可能に記憶させる。
【０１２２】
次に、受信情報識別手段５３１は、メモリ５２０に記憶させたグループ録画予約指示情報３７０を読み出す。そして、ハードディスク５１０に記憶されたグループ関連情報５１２の自装置ＩＤ５１２Ａを読み出す。この後、グループ録画予約指示情報３７０の自装置ＩＤ３７１と、自装置ＩＤ５１２Ａとが一致するか否かを判断する（ステップＳ１０２）。
【０１２３】
ステップＳ１０２において、自装置ＩＤ３７１と自装置ＩＤ５１２Ａとが一致しないと判断した場合には、グループ録画予約指示情報３７０が当該第１の情報記録装置４００に対して送信されたものではない、すなわちグループ録画予約指示情報３７０が無効であると判断し、グループ録画予約の設定処理を終了する。
【０１２４】
一方で、ステップＳ１０２において、自装置ＩＤ３７１と自装置ＩＤ５１２Ａとが一致すると判断した場合には、グループ録画予約指示情報３７０が当該第１の情報記録装置４００に対して送信されたものと判断する。そして、グループ録画予約指示情報３７０に、対象のグループＩＤ３７２および対象の個人ＩＤ３７３のうちの、少なくともいずれか一方が組み込まれているか否かを判断する（ステップＳ１０３）。
【０１２５】
そして、ステップＳ１０３において、対象のグループＩＤ３７２および対象の個人ＩＤ３７３の両方が組み込まれていないと判断した場合には、グループ録画予約指示情報３７０が無効であると判断し、グループ録画予約の設定処理を終了する。
【０１２６】
一方で、ステップＳ１０３において、対象のグループＩＤ３７２および対象の個人ＩＤ３７３のうちの少なくともいずれか一方が組み込まれていると判断した場合には、対象のグループＩＤ３７２が組み込まれているか否かを判断する（ステップＳ１０４）。
【０１２７】
受信情報識別手段５３１は、ステップＳ１０４において、対象のグループＩＤ３７２が組み込まれていないと判断した場合には、グループ録画予約指示情報３７０の録画予約情報３７４が有効であるか否かを判断する（ステップＳ１０５）。この録画予約情報３７４の有効性は、録画予約情報３７４に組み込まれた例えば録画開始時刻が現在時刻よりも以後に設定されているか、同じ時間帯に既に録画予約が入っていないか、などから判断される。
【０１２８】
ステップＳ１０５において、録画予約情報３７４が無効であると判断した場合には、ステップＳ１０１において受信したグループ録画予約指示情報３７０が無効であると判断し、グループ録画予約の設定処理を終了する。
【０１２９】
一方で、ステップＳ１０５において、録画予約情報３７４が有効であると判断した場合には、グループ録画予約指示情報３７０が有効であると判断する。そして、第１の情報記録装置４００は、録画手段５３２にて、例えば以下のようにして予約情報５１４ＢＮｒを生成する（ステップＳ１０６）。
【０１３０】
録画手段５３２は、グループ録画予約指示情報３７０から、対象のグループＩＤ３７２と、録画予約情報３７４と、を読み出す。また、読み出した録画予約情報３７４に対応する録画予約ＩＤナンバを生成する。そして、読み出した対象のグループＩＤ３７２をグループＩＤ５１４Ｄとして、録画予約情報３７４を録画予約情報５１４Ｅとして、生成した録画予約ＩＤナンバを録画予約ＩＤ５１４Ｃとして組み込んだ予約情報５１４ＢＮｒを生成する。なお、第１の情報記録装置４００が、ステップＳ１０３ないしステップＳ１０６の処理を実施する場合には、ステップＳ１０４において、グループ録画予約指示情報３７０に対象のグループＩＤ３７２が組み込まれていないことが確認されている。このため、ステップＳ１０３、ステップＳ１０４、ステップＳ１０５、ステップＳ１０６の順に処理を実施することにより生成された予約情報５１４ＢＮｒは、グループＩＤ５１４Ｄが組み込まれていないテーブル構造となる。
【０１３１】
受信情報識別手段５３１は、ステップＳ１０４において、対象のグループＩＤ３７２が組み込まれていると判断した場合には、この対象のグループＩＤ３７２により特定されるグループ、すなわちグループ録画予約の対象のグループが、第１の情報記録装置４００の所属グループであるか否かを判断する（ステップＳ１０７）。具体的には、ハードディスク５１０に記憶されたグループ関連情報５１２から、対象のグループＩＤ３７２と同一のグループＩＤ５１２Ｆが組み込まれたグループ情報５１２ＣＮｊを検索する。そして、グループ関連情報５１２に、上述した条件と一致するグループ情報５１２ＣＮｊが組み込まれている場合には、グループ録画予約の対象のグループが第１の情報記録装置４００の所属グループであると判断する。一方で、上述した条件と一致するグループ情報５１２ＣＮｊが組み込まれていない場合には、グループ録画予約の対象のグループが第１の情報記録装置４００の所属グループでないと判断する。
【０１３２】
この後、ステップＳ１０７において、グループ録画予約の対象のグループが第１の情報記録装置４００の所属グループであると判断した場合には、グループ録画予約指示情報３７０の対象のグループＩＤ３７２が有効であると判断する。そして、ステップＳ１０５の処理を実施する。この後、第１の情報記録装置４００が、ステップＳ１０６の処理を実施し予約情報５１４ＢＮｒを生成する場合には、ステップＳ１０７において、グループ録画予約指示情報３７０の対象のグループＩＤ３７２が有効であると判断されている。このため、ステップＳ１０３、ステップＳ１０４、ステップＳ１０７、ステップＳ１０５、ステップＳ１０６の順に処理を実施することにより生成された予約情報５１４ＢＮｒは、グループＩＤ５１４Ｄが組み込まれたテーブル構造となる。
【０１３３】
一方で、ステップＳ１０７において、グループ録画予約の対象のグループが第１の情報記録装置４００の所属グループでないと判断した場合には、グループ録画予約指示情報３７０の対象のグループＩＤ３７２が無効であると判断する。そして、グループ録画予約指示情報３７０に、対象の個人ＩＤ３７３が組み込まれているか否かを判断する（ステップＳ１０８）。
【０１３４】
受信情報識別手段５３１は、ステップＳ１０８において、対象の個人ＩＤ３７３が組み込まれていないと判断した場合には、グループ録画予約指示情報３７０が無効であると判断し、グループ録画予約の設定処理を終了する。
【０１３５】
一方で、ステップＳ１０８において、対象の個人ＩＤ３７３が組み込まれていると判断した場合には、ステップＳ１０５の処理を実施する。この後、第１の情報記録装置４００が、ステップＳ１０６の処理を実施し予約情報５１４ＢＮｒを生成する場合には、ステップＳ１０７において、グループ録画予約指示情報３７０の対象のグループＩＤ３７２が無効であると判断されている。このため、ステップＳ１０３、ステップＳ１０４、ステップＳ１０７、ステップＳ１０８、ステップＳ１０５、ステップＳ１０６の順に処理を実施することにより生成された予約情報５１４ＢＮｒは、グループＩＤ５１４Ｄが組み込まれていないテーブル構造となる。
【０１３６】
第１の情報記録装置４００は、録画手段５３２にて、ステップ１０６において生成した予約情報５１４ＢＮｒを、ハードディスク５１０の録画予約リスト５１４に組み込む。そして、設定予約数情報５１４Ａにより示される録画予約の数を１だけ増やす（ステップＳ１０９）。
【０１３７】
この後、録画予約通知生成手段５３３にて、例えば以下のようにしてグループ録画予約通知情報５８０を生成する（ステップＳ１１０）。
【０１３８】
録画予約通知生成手段５３３は、グループ録画予約指示情報３７０から、自装置ＩＤ３７１と、対象のグループＩＤ３７２と、対象の個人ＩＤ３７３と、録画予約情報３７４と、を読み出す。また、ハードディスク５１０に記憶された予約情報５１４ＢＮｒから、録画予約ＩＤ５１４Ｃを読み出す。そして、読み出した自装置ＩＤ３７１を指示元の装置ＩＤ５８１として、対象のグループＩＤ３７２を対象のグループＩＤ５８３として、対象の個人ＩＤ３７３を対象の個人ＩＤ５８４として、録画予約情報３７４を録画予約情報５８５として、録画予約ＩＤ５１４Ｃを録画予約ＩＤ５８２として組み込んだグループ録画予約通知情報５８０を生成する。
【０１３９】
なお、グループ録画予約指示情報３７０の例えば対象のグループＩＤ３７２に、複数のグループＩＤナンバなどが組み込まれている場合には、グループ録画予約通知情報５８０の対象のグループＩＤ５８３は、複数のグループＩＤナンバなどが組み込まれたテーブル構造となる。また、グループ録画予約指示情報３７０に例えば対象のグループＩＤ３７２が組み込まれていない場合には、グループ録画予約通知情報５８０は、対象のグループＩＤ５８３が組み込まれていないテーブル構造となる。なお、ここでは、グループ録画予約指示情報３７０に対象の個人ＩＤ３７３が組み込まれていないので、グループ録画予約通知情報５８０は、対象の個人ＩＤ５８４が組み込まれていないテーブル構造となる。
【０１４０】
そして、録画予約通知生成手段５３３は、ステップＳ１１０において生成したグループ録画予約通知情報５８０をネットワーク２００を介してサーバ装置６００に送信して（ステップＳ１１１）、グループ録画予約の設定処理を終了する。
【０１４１】
（サーバ装置におけるグループ録画予約の設定処理）
次に、サーバ装置６００におけるグループ録画予約の設定処理について、図１３に基づいて説明する。
【０１４２】
サーバ装置６００は、ステップＳ１１１において第１の情報記録装置４００から送信されたグループ録画予約通知情報５８０を受信する（ステップＳ２０１）と、受信通知識別手段６３１にて、この受信したグループ録画予約通知情報５８０を記憶手段６２０に適宜読み出し可能に記憶させる。
【０１４３】
次に、サーバ装置６００は、グループ録画予約通知情報５８０により設定されるグループ録画予約の対象となるグループや個人が、当該サーバ装置６００に登録されているか否かを判断する（ステップＳ２０２）。具体的には、サーバ装置６００は、受信通知識別手段６３１にて、記憶手段６２０に記憶させたグループ録画予約通知情報５８０を読み出す。そして、記憶手段６２０に記憶されたグループリスト６４０から、グループ録画予約通知情報５８０の対象のグループＩＤ５８３と同一のグループＩＤ６４２Ａが組み込まれたグループ情報６４２Ｎｇを検索する。そして、グループリスト６４０に、上述した条件と一致するグループ情報６４２Ｎｇが組み込まれている場合には、グループ録画予約の対象となるグループが、サーバ装置６００に登録されていると判断する。一方で、上述した条件と一致するグループ情報６４２Ｎｇが組み込まれていない場合には、グループ録画予約の対象となるグループが、サーバ装置６００に登録されていないと判断する。同様にして、記憶手段６２０に記憶された個人リスト６５０から、グループ録画予約通知情報５８０の対象の個人ＩＤ５８４と同一の個人ＩＤ６５２Ａが組み込まれた個人情報６５２Ｎｋを検索することにより、グループ録画予約の対象となる個人が、サーバ装置６００に登録されているか否かを判断する。
【０１４４】
受信通知識別手段６３１は、ステップＳ２０２において、グループ録画予約の対象となるグループおよび個人の両方が、当該サーバ装置６００に登録されていないと判断した場合には、グループ録画予約通知情報５８０が無効であると判断し、グループ録画予約の設定処理を終了する。
【０１４５】
一方で、ステップＳ２０２において、グループ録画予約の対象となるグループおよび個人のうちの少なくともいずれか一方が、当該サーバ装置６００に登録されていると判断した場合には、対象となるグループが当該サーバ装置６００に登録されているか否かを判断する（ステップＳ２０３）。
【０１４６】
受信通知識別手段６３１は、ステップＳ２０３において、対象となるグループが当該サーバ装置６００に登録されていないと判断した場合には、対象となる個人のみが当該サーバ装置６００に登録されていると判断する。そして、グループ録画予約通知情報５８０の録画予約情報５８５が有効であるか否かを判断する（ステップＳ２０４）。この録画予約情報５８５の有効性は、録画予約情報５８５に組み込まれた例えば録画開始時刻が現在時刻よりも以後に設定されているか、などから判断される。
【０１４７】
そして、ステップＳ２０４において、録画予約情報５８５が無効であると判断した場合には、グループ録画予約通知情報５８０が無効であると判断し、グループ録画予約の設定処理を終了する。
【０１４８】
一方で、ステップＳ２０４において、録画予約情報５８５が有効であると判断した場合には、ステップＳ２０１において受信したグループ録画予約通知情報５８０が有効であると判断する。そして、サーバ装置６００は、録画予約同報生成手段６３２にて、例えば以下のようにしてグループ録画予約同報情報６６０を生成する（ステップＳ２０５）。
【０１４９】
録画予約同報生成手段６３２は、ステップＳ２０２において、受信通知識別手段６３１により検索して読み出したグループ情報６４２Ｎｇから装置ＩＤ６４２ＤＮｍを、個人情報６５２Ｎｋから装置ＩＤ６５２Ｅをそれぞれ読み出す。また、グループ録画予約通知情報５８０から、指示元の装置ＩＤ５８１と、録画予約ＩＤ５８２と、対象のグループＩＤ５８３と、録画予約情報５８５と、を読み出す。そして、読み出した装置ＩＤ６４２ＤＮｍや装置ＩＤ６５２Ｅを指示先の装置ＩＤ６６１として、指示元の装置ＩＤ５８１を指示元の装置ＩＤ６６２として、録画予約ＩＤ５８２を録画予約ＩＤ６６３として、対象のグループＩＤ５８３を対象のグループＩＤ６６４として、録画予約情報５８５を録画予約情報６６５として組み込んだグループ録画予約同報情報６６０を生成する。
【０１５０】
このとき、上述したように、指示先の装置ＩＤ６６１は、１つの例えば第２の情報記録装置４０１を特定する情報である。このため、グループ録画予約の対象が個人単位で設定された場合には、グループ録画予約同報情報６６０は、読み出した装置ＩＤ６５２Ｅの数だけ生成される。一方で、グループ録画予約の対象がグループ単位で設定された場合には、グループ情報６４２Ｎｇの装置ＩＤ６４２ＤＮｍには指示元の装置ＩＤ５８１と同一の装置ＩＤも含まれている。このため、グループ録画予約同報情報６６０は、読み出した装置ＩＤ６４２ＤＮｍの数から１を引いた数だけ生成される。なお、サーバ装置６００が、ステップＳ２０２ないしステップＳ２０５の処理を実施する場合には、ステップＳ２０３において、対象のグループがサーバ装置６００に登録されていないことが確認されている。このため、ステップＳ２０２、ステップＳ２０３、ステップＳ２０４、ステップＳ２０５の順に処理を実施することにより生成されたグループ録画予約同報情報６６０は、指示先の装置ＩＤ６６１、指示元の装置ＩＤ６６２、録画予約ＩＤ６６３、録画予約情報６６５が組み込まれ、対象のグループＩＤ６６４が組み込まれていないテーブル構造となる。
【０１５１】
この後、録画予約同報生成手段６３２は、ステップＳ２０５において生成したグループ録画予約同報情報６６０を、指示先の装置ＩＤ６６１に対応する例えば第２の情報記録装置４０１や第３の情報記録装置４０２に配信する（ステップＳ２０６）。
【０１５２】
受信通知識別手段６３１は、ステップＳ２０３において、対象となるグループが当該サーバ装置６００に登録されていると判断した場合には、グループ録画予約通知情報５８０を送信した第１の情報記録装置４００が、当該対象となるグループに所属しているか否かを判断する（ステップＳ２０７）。具体的には、ステップＳ２０２において検索して読み出したグループ情報６４２Ｎｇから、グループ録画予約通知情報５８０の指示元の装置ＩＤ５８１と同一の装置ＩＤ６４２ＤＮｍを検索する。そして、グループ情報６４２Ｎｇから上述した条件と一致する装置ＩＤ６４２ＤＮｍが検索できた場合には、グループ録画予約通知情報５８０を送信した第１の情報記録装置４００が、当該対象となるグループに所属していると判断する。一方で、上述した条件と一致する装置ＩＤ６４２ＤＮｍが検索できない場合には、グループ録画予約通知情報５８０を送信した第１の情報記録装置４００が、当該対象となるグループに所属していないと判断する。
【０１５３】
そして、ステップＳ２０７において、グループ録画予約通知情報５８０を送信した第１の情報記録装置４００が、当該対象となるグループに所属していると判断した場合には、グループ録画予約通知情報５８０の対象のグループＩＤ５８３が有効であると判断する。そして、ステップＳ２０４の処理を実施する。この後、サーバ装置６００が、ステップＳ２０５の処理を実施しグループ録画予約同報情報６６０を生成する場合には、ステップＳ２０７において、グループ録画予約通知情報５８０の対象のグループＩＤ５８３が有効であると判断されている。このため、ステップＳ２０２、ステップＳ２０３、ステップＳ２０７、ステップＳ２０４、ステップＳ２０５の順に処理を実施することにより生成されたグループ録画予約同報情報６６０は、指示先の装置ＩＤ６６１、指示元の装置ＩＤ６６２、録画予約ＩＤ６６３、対象のグループＩＤ６６４、録画予約情報６６５が組み込まれたテーブル構造となる。
【０１５４】
なお、上述したように、ここでは、グループ録画予約通知情報５８０に対象のグループＩＤ５８３が組み込まれ、対象の個人ＩＤ５８４が組み込まれていない。このため、サーバ装置６００は、ステップＳ２０１、ステップＳ２０２、ステップＳ２０３、ステップＳ２０７、ステップＳ２０４の処理を実施する。そして、ステップＳ２０５において、第２の情報記録装置４０１を特定する指示先の装置ＩＤ６６１を有するグループ録画予約同報情報６６０と、第３の情報記録装置４０２を特定する指示先の装置ＩＤ６６１を有するグループ録画予約同報情報６６０と、を生成する。この後、生成したグループ録画予約同報情報６６０を、第２の情報記録装置４０１および第３の情報記録装置４０２に配信する。
【０１５５】
一方で、ステップＳ２０７において、グループ録画予約通知情報５８０を送信した第１の情報記録装置４００が、当該対象となるグループに所属していないと判断した場合には、グループ録画予約通知情報５８０の対象のグループＩＤ５８３が無効であると判断する。そして、対象となる個人がサーバ装置６００に登録されているか否かを判断する（ステップＳ２０８）。
【０１５６】
受信通知識別手段６３１は、ステップＳ２０８において、対象となる個人がサーバ装置６００に登録されていないと判断した場合には、グループ録画予約通知情報５８０が無効であると判断し、グループ録画予約の設定処理を終了する。
【０１５７】
一方で、ステップＳ２０８において、対象となる個人がサーバ装置６００に登録されていると判断した場合には、ステップＳ２０４の処理を実施する。この後、サーバ装置６００が、ステップＳ２０５の処理を実施しグループ録画予約同報情報６６０を生成する場合には、ステップＳ２０７において、グループ録画予約通知情報５８０の対象のグループＩＤ５８３が無効であると判断されている。このため、ステップＳ２０２、ステップＳ２０３、ステップＳ２０７、ステップＳ２０８、ステップＳ２０４、ステップＳ２０５の順に処理を実施することにより生成されたグループ録画予約同報情報６６０は、指示先の装置ＩＤ６６１、指示元の装置ＩＤ６６２、録画予約ＩＤ６６３、録画予約情報６６５が組み込まれ、対象のグループＩＤ６６４が組み込まれていないテーブル構造となる。
【０１５８】
サーバ装置６００は、ステップＳ２０６において、グループ録画予約同報情報６６０を配信した後、録画予約状況情報生成手段６３３にて、サーバ計時手段６３４から現在時刻を取得する。そして、待機時間の例えば５分経過後に、グループ録画予約同報情報６６０を配信した全ての装置、すなわち例えば第２の情報記録装置４０１および第３の情報記録装置４０２の両方から、グループ録画設定情報を受信したか否かを判断する（ステップＳ２０９）。なお、受信したグループ録画設定情報が、第２の情報記録装置４０１や第３の情報記録装置４０２からのものであるか否かは、グループ録画設定情報に組み込まれた図示しない録画予約ＩＤと、配信したグループ録画予約同報情報６６０の録画予約ＩＤ６６３とが一致するか否かなどで識別される。また、ここでは、待機時間を５分に設定した構成について例示したが、これに限らず例えば３分や１０分などと設定してもよい。
【０１５９】
録画予約状況情報生成手段６３３は、ステップＳ２０９において、第２の情報記録装置４０１および第３の情報記録装置４０２の両方から、グループ録画設定情報を受信したと判断した場合には、これら受信したグループ録画設定情報を参照する。そして、例えば第２の情報記録装置４０１ではグループ録画予約が受け付けられたが、第３の情報記録装置４０２ではグループ録画予約が拒否された、などの情報が組み込まれたグループ録画予約状況情報を生成する（ステップＳ２１０）。
【０１６０】
この後、サーバ装置６００は、録画予約状況情報生成手段６３３にて、ステップＳ２１０において生成したグループ録画予約状況情報を、グループ録画予約同報情報６６０の指示元の装置ＩＤ６６２に基づいて、第１の情報記録装置４００に送信する（ステップＳ２１１）。そして、グループ録画予約の設定処理を終了する。
【０１６１】
一方で、ステップＳ２０９において、第２の情報記録装置４０１および第３の情報記録装置４０２の両方から、グループ録画設定情報を受信していないと判断した場合には、グループ録画設定情報を返信していない装置を認識する。さらに、サーバ計時手段６３４から現在時刻を取得するとともに、グループ録画予約同報情報６６０の録画予約情報６６５を参照して、グループ録画予約の録画開始時刻を認識する。なお、ここでは第２の情報記録装置４０１がグループ録画設定情報を返信し、第３の情報記録装置４０２がグループ録画設定情報を返信していない場合の処理について例示する。そして、録画開始時刻まで所定時間以上、例えば３０分以上あるか否かを判断する（ステップＳ２１２）。なお、ここでは所定時間を３０分に設定した構成について例示したが、これに限らず例えば５分や１時間などと設定してもよい。
【０１６２】
録画予約状況情報生成手段６３３は、ステップＳ２１２において、録画開始時刻までに所定時間以上ないと判断した場合には、ステップＳ２１０の処理を実施しグループ録画予約状況情報を生成する。なお、このような場合、ステップＳ２０９において、第２の情報記録装置４０１のみがグループ録画設定情報を返信していることが確認されている。このため、ステップＳ２０９、ステップＳ２１２、ステップＳ２１０の順に処理を実施することにより生成されるグループ録画予約状況情報には、第２の情報記録装置４０１が例えばグループ録画予約を受け付けた旨の情報に加え、第３の情報記録装置４０２がグループ録画予約を受け付けたか否かを確認できなかった旨の情報が組み込まれる。
【０１６３】
一方で、ステップＳ２１２において、録画開始時刻までに所定時間以上あると判断した場合には、グループ録画設定情報を返信していない第３の情報記録装置４０２にグループ録画予約同報情報６６０を再配信する（ステップＳ２１３）。そして、ステップＳ２０９に戻り上述した処理を実施する。
【０１６４】
（グループ録画予約同報情報を受信した情報記録装置におけるグループ録画予約の設定処理）
次に、グループ録画予約同報情報６６０を受信した、第２の情報記録装置４０１および第３の情報記録装置４０２におけるグループ録画予約同報情報６６０によるグループ録画予約の設定処理について、図１４に基づいて説明する。なお、以下において、第２の情報記録装置４０１における設定処理について説明する。
【０１６５】
第２の情報記録装置４０１は、サーバ装置６００より配信されたグループ録画予約同報情報６６０を受信する（ステップＳ３０１）と、受信情報識別手段５３１にて、この受信したグループ録画予約同報情報６６０をメモリ５２０に適宜読み出し可能に記憶させる。
【０１６６】
次に、受信情報識別手段５３１は、メモリ５２０に記憶させたグループ録画予約同報情報６６０を読み出す。そして、ハードディスク５１０に記憶されたグループ関連情報５１２の自装置ＩＤ５１２Ａを読み出す。この後、グループ録画予約同報情報６６０の指示先の装置ＩＤ６６１と、自装置ＩＤ５１２Ａとが一致するか否かを判断する（ステップＳ３０２）。
【０１６７】
ステップＳ３０２において、指示先の装置ＩＤ６６１と自装置ＩＤ５１２Ａとが一致しないと判断した場合には、グループ録画予約同報情報６６０が無効であると判断し、グループ録画予約の設定処理を終了する。
【０１６８】
一方で、ステップＳ３０２において、指示先の装置ＩＤ６６１と自装置ＩＤ５１２Ａとが一致すると判断した場合には、グループ録画予約同報情報６６０に、対象のグループＩＤ６６４が組み込まれているか否かを判断する（ステップＳ３０３）。
【０１６９】
そして、ステップＳ３０３において、対象のグループＩＤ６６４が組み込まれていないと判断した場合には、グループ録画予約同報情報６６０の録画予約情報６６５が有効であるか否かを判断する（ステップＳ３０４）。なお、この録画予約情報６６５の有効性は、ステップＳ１０５の処理と同様に判断される。
【０１７０】
受信情報識別手段５３１は、ステップＳ３０４において、録画予約情報６６５が無効であると判断した場合には、ステップＳ３０１において受信したグループ録画予約同報情報６６０が無効であると判断し、グループ録画予約の設定処理を終了する。
【０１７１】
一方で、ステップＳ３０４において、録画予約情報６６５が有効であると判断した場合には、受信したグループ録画予約同報情報６６０が有効であると判断する。そして、第２の情報記録装置４０１は、録画予約受付確認手段５３４にて、グループ録画予約同報情報６６０により設定されるグループ録画予約を受け付けるか否かを確認する（ステップＳ３０５）。このグループ録画予約を受け付けるか否かを確認する方法としては、例えばグループ録画予約を受け付けるか否かの設定入力を促すための表示画面とともに、グループ録画予約同報情報６６０の録画予約情報６６５に組み込まれた各種情報を、映像表示部５６０に表示させる。そして、利用者による入力部５００の設定入力を認識することにより、グループ録画予約を受け付けるか否かを確認する方法などが例示できる。
【０１７２】
受信情報識別手段５３１は、ステップＳ３０３において、対象のグループＩＤ６６４が組み込まれていると判断した場合には、この対象のグループＩＤ６６４により特定されるグループに、第２の情報記録装置４０１が所属しているか否かを判断する（ステップＳ３０６）。具体的には、ステップＳ１０７の処理と同様に、ハードディスク５１０に記憶されたグループ関連情報５１２から、対象のグループＩＤ６６４と同一のグループＩＤ５１２Ｆが組み込まれたグループ情報５１２ＣＮｊを検索して判断する。
【０１７３】
そして、ステップＳ３０６において、第２の情報記録装置４０１が当該グループ録画予約の対象となるグループに所属していないと判断した場合には、グループ録画予約同報情報６６０が無効であると判断し、グループ録画予約の設定処理を終了する。
【０１７４】
一方で、ステップＳ３０６において、第２の情報記録装置４０１が当該グループ録画予約の対象となるグループに所属していると判断した場合には、ステップＳ３０４の処理を実施する。
【０１７５】
第２の情報記録装置４０１は、ステップＳ３０５において、録画予約受付確認手段５３４にて、グループ録画予約を受け付けるか否かを確認する処理を実施した後、記録装置計時手段５３５から現在時刻を取得する。そして、待機時間の例えば１分経過後に、グループ録画予約を受け付けるか否かを確認できたか否かを判断する（ステップＳ３０７）。なお、ここでは、待機時間を１分に設定した構成について例示したが、これに限らず例えば３０秒や５分などと設定してもよい。
【０１７６】
録画予約受付確認手段５３４は、ステップＳ３０７において、グループ録画予約を受け付けるか否かを確認できないと判断した場合には、第２の情報記録装置４０１の利用者が、ステップＳ３０５において例えば映像表示部５６０に表示された表示画面を確認できなかったと判断する。そして、例えばグループ録画予約を受け付けるか否かの設定入力を促すための表示画面、グループ録画予約同報情報６６０の指示元の装置ＩＤ６６２、録画予約情報６６５に組み込まれた各種情報などを、端末表示部３３０に表示させる情報などを組み込んだ予約受付確認情報を生成する（ステップＳ３０８）。
【０１７７】
この後、録画予約受付確認手段５３４は、ステップＳ３０８において生成した予約受付確認情報を、第２の情報記録装置４０１にネットワーク２００を介して接続された第２の端末装置３０１に送信する（ステップＳ３０９）。具体的には、例えばハードディスク５１０の個人管理情報５１３からメールアドレス５１３Ａを読み出す。そして、予約受付確認情報を、読み出したメールアドレス５１３Ａに基づいて電子メールを用いて送信する。そして、第２の端末装置３０１の端末表示部３３０に予約受付確認情報に組み込まれた各種情報を表示させることにより、第２の情報記録装置４０１の利用者にグループ録画予約を受け付けるか否かの設定入力を実施させる。この後、ステップＳ３０７に戻って、グループ録画予約を受け付けるか否かを確認できたか否かを判断する。
【０１７８】
録画予約受付確認手段５３４は、ステップＳ３０７において、グループ録画予約を受け付けるか否かを確認できたと判断した場合には、その確認した情報がグループ録画予約を受け付けるものであるか否かを判断する（ステップＳ３１０）。
【０１７９】
そして、ステップＳ３１０において確認した情報が、グループ録画予約を拒否するものであると判断した場合には、当該第２の情報記録装置４０１がグループ録画予約を拒否する旨の情報、グループ録画予約同報情報６６０の録画予約ＩＤ６６３などが組み込まれたグループ録画設定情報を生成する（ステップＳ３１１）。そして、このグループ録画設定情報をサーバ装置６００に送信して（ステップＳ３１２）、グループ録画予約の設定処理を終了する。
【０１８０】
第２の情報記録装置４０１は、録画予約受付確認手段５３４にて、ステップＳ３１０において確認した情報が、グループ録画予約を受け付けるものであると判断した場合には、例えば以下のようにして予約情報５１４ＢＮｒを生成する（ステップＳ３１３）。
【０１８１】
第２の情報記録装置４０１は、録画手段５３２にて、グループ録画予約同報情報６６０から、録画予約ＩＤ６６３と、対象のグループＩＤ６６４と、録画予約情報６６５と、を読み出す。そして、読み出した録画予約ＩＤ６６３を録画予約ＩＤ５１４Ｃとして、対象のグループＩＤ６６４をグループＩＤ５１４Ｄとして、録画予約情報６６５を録画予約情報５１４Ｅとして組み込んだ予約情報５１４ＢＮｒを生成する。
【０１８２】
この後、録画手段５３２は、ステップ３１３において生成した予約情報５１４ＢＮｒを、ハードディスク５１０の録画予約リスト５１４に組み込む。そして、設定予約数情報５１４Ａにより示される録画予約の数を１だけ増やす（ステップＳ３１４）。この後、ステップＳ３１１の処理を実施し、録画予約受付確認手段５３４にて、グループ録画設定情報を生成する。なお、このとき、ステップＳ３１０においてグループ録画予約を受け付けることが確認されている。このため、ステップＳ３１０、ステップＳ３１３、ステップＳ３１４、ステップＳ３１１の順に処理を実施することにより生成されたグループ録画設定情報には、当該第２の情報記録装置４０１がグループ録画予約を受け付ける旨の情報が組み込まれている。そして、ステップＳ３１２の処理を実施しグループ録画予約の設定処理を終了する。
【０１８３】
上述したように、上記実施の形態では、録画同報システム１００の第１の情報記録装置４００は、ネットワークインターフェース４９０にて、録画予約情報３７４を有するグループ録画予約指示情報３７０を受信する。そして、この受信したグループ録画予約指示情報３７０の録画予約情報３７４に基づいて、録画手段５３２にて録画予約の設定処理を実施する。この後、第１の情報記録装置４００は、録画予約通知生成手段５３３にて、録画予約情報３７４と同様の情報を第２の情報記録装置４０１や第３の情報記録装置４０２に配信する。このように、録画予約情報３７４と同様の情報を各情報記録装置４０１，４０２に配信することにより、各情報記録装置４０１，４０２にも第１の情報記録装置４００と同様の録画をさせることができる。このため、録画予約を設定せずに外出していた例えば第２の情報記録装置４０１を有する友人にも、第１の情報記録装置４００の利用者と同様のテレビ番組を視聴させることができる。また、録画予約を設定しなかった友人は、利用者がテレビ番組を録画した例えばＤＶＤを借りることなく、自ら所有する第２の情報記録装置４０１に記録したテレビ番組を視聴できる。このため、テレビ番組の制作者に対する著作権を保護できる。
【０１８４】
各情報記録装置４００，４０１，４０２に、現在日時を計時する記録装置計時手段５３５を設ける。また、録画予約情報３７４、すなわち本発明の要求情報により要求される処理を録画予約を設定する処理としている。そして、各情報記録装置４００，４０１，４０２は、記録装置計時手段５３５が計時する現在日時が、録画予約情報３７４に組み込まれた録画開始時刻となったことを認識すると、録画手段５３２にて録画を開始する。このように、本発明の要求情報により要求される処理を録画予約を設定する処理とすることにより、録画予約情報３７４と同様の情報を例えば第２の情報記録装置４０１に配信するまでに時間を要する構成の場合でも、第２の情報記録装置４０１にも第１の情報記録装置４００と同じテレビ番組を録画させることができる。
【０１８５】
各情報記録装置４００，４０１，４０２に、テレビ番組を録画するハードディスク５１０を設ける。そして、録画予約情報３７４、すなわち本発明の要求情報により要求される処理をテレビ番組の録画としている。このように、ランダムアクセスが可能なハードディスク５１０にテレビ番組を録画することにより、視聴したいテレビ番組を再生させるまでの時間を短縮できる。
【０１８６】
グループ録画予約指示情報３７０に、グループ録画予約の対象となる各情報記録装置４０１，４０２などを特定する対象のグループＩＤ３７２や対象の個人ＩＤ３７３を組み込んでいる。そして、第１の情報記録装置４００は、録画予約通知生成手段５３３にて、対象のグループＩＤ３７２や対象の個人ＩＤ３７３により特定される各情報記録装置４０１，４０２などに録画予約情報３７４と同様の情報を配信する。このため、対象のグループＩＤ３７２や対象の個人ＩＤ３７３の設定を適宜変更することにより、グループ録画予約の対象とする装置を適宜変更できる。したがって、グループ録画予約の設定を実施させたい装置を適宜選択できる汎用性が高い第１の情報記録装置４００を提供できる。
【０１８７】
第１の情報記録装置４００に、グループ録画予約指示情報３７０に基づいて、録画予約通知生成手段５３３に録画予約情報３７４と同様の情報を配信させるか否かを判断する、すなわちグループ録画予約指示情報３７０の有効性を判断する受信情報識別手段５３１を設けている。このような構成により、第１の情報記録装置４００は、例えば録画開始時刻が現在時刻よりも以前に設定された録画予約情報３７４が組み込まれていたり、組み込まれた情報の一部が欠落した無効なグループ録画予約指示情報３７０を受信した場合には、受信情報識別手段５３１にて、当該グループ録画予約指示情報３７０を無効と判断する。そして、録画予約通知生成手段５３３に、録画予約情報３７４と同様の情報を配信させない。このため、第１の情報記録装置４００は、グループ録画予約の設定処理に必要な情報が組み込まれた有効なグループ録画予約指示情報３７０のみに基づいて、録画予約情報３７４と同様の情報を配信し、グループ録画予約の設定処理を実施する。したがって、第１の情報記録装置４００は、例えば無効なグループ録画予約指示情報３７０を受信したとしても、このグループ録画予約指示情報３７０に基づいてグループ録画予約の設定処理を実施することがなく、各情報記録装置４０１，４０２などの誤動作などを未然に防ぐことができる。
【０１８８】
グループ録画予約指示情報３７０に、グループ録画予約を指示する例えば第１の情報記録装置４００などを特定する自装置ＩＤ３７１を組み込んでいる。また、第１の情報記録装置４００のハードディスク５１０に、当該第１の情報記録装置４００を特定する自装置ＩＤ５１２Ａを記憶させている。そして、第１の情報記録装置４００は、受信情報識別手段５３１にて、自装置ＩＤ３７１と自装置ＩＤ５１２Ａとが一致するか否かを判断し、一致すると判断した場合には当該グループ録画予約指示情報３７０が、当該第１の情報記録装置４００に対して配信されたものと判断する。この後、対象のグループＩＤ３７２や対象の個人ＩＤ３７３に基づいて、各情報記録装置４０１，４０２などに録画予約情報３７４と同様の情報を配信する。一方で、一致しない場合には、グループ録画予約指示情報３７０が、当該第１の情報記録装置４００に対して配信されたものではないと判断し、録画予約情報３７４と同様の情報を配信しない。このような構成により、第１の情報記録装置４００は、当該第１の情報記録装置４００に対して配信されたグループ録画予約指示情報３７０に基づいて、グループ録画予約の設定処理を実施し、例えば第２の情報記録装置４０１に対して配信されたグループ録画予約指示情報３７０を受信したとしても、グループ録画予約の設定処理を実施することがない。したがって、第１の情報記録装置４００に対して設定されるグループ録画予約により録画されるテレビ番組を、当該第１の情報記録装置４００を有する利用者の趣向に合わせたものにできる。
【０１８９】
録画同報システム１００に、各情報記録装置４００，４０１，４０２などとネットワーク２００を介して、各種情報が送受信可能に接続されたサーバ装置６００を設けている。そして、例えば第１の情報記録装置４００から指示されるグループ録画予約の設定処理を、ネットワーク２００およびサーバ装置６００を介して、各情報記録装置４０１，４０２にも実施させている。このように、大量の情報を一括処理可能なサーバ装置６００を介して、グループ録画予約の設定処理を実施する構成としたので、例えば第１の情報記録装置４００から指示されるグループ録画予約の設定処理を、例えば数十台の装置に実施させる場合にも、前記設定処理を容易にかつ迅速に実施できる。また、グループ録画予約の設定処理に必要な情報をサーバ装置６００に所有させることができるので、各情報記録装置４００，４０１，４０２の構成を簡略化できる。
【０１９０】
第１の情報記録装置４００に、グループ録画予約通知情報５８０を生成し、ネットワーク２００を介してサーバ装置６００に配信する録画予約通知生成手段５３３を設けている。このグループ録画予約通知情報５８０は、録画予約情報３７４と同様の情報を、各情報記録装置４０１，４０２などに配信する旨を要求するものである。そして、サーバ装置６００は、グループ録画予約通知情報５８０に基づいて、録画予約同報生成手段６３２にて、録画予約情報３７４と同様の録画予約情報６６５が組み込まれたグループ録画予約同報情報６６０を生成する。この後、このグループ録画予約同報情報６６０を、ネットワーク２００を介して各情報記録装置４０１，４０２などに配信する。このように、録画予約情報３７４と同様の録画予約情報６６５を、ネットワーク２００およびサーバ装置６００を介して、各情報記録装置４０１，４０２などに配信する構成としたので、第１の情報記録装置４００から隔たる位置に配置された各情報記録装置４０１，４０２などにも、第１の情報記録装置４００と同様のテレビ番組を録画させることができる。
【０１９１】
サーバ装置６００に、グループ録画予約通知情報５８０に基づいて、録画予約同報生成手段６３２にグループ録画予約同報情報６６０を各情報記録装置４０１，４０２などに配信させるか否かを判断する、すなわちグループ録画予約同報情報６６０の有効性を判断する受信通知識別手段６３１を設けた。このような構成により、サーバ装置６００は、例えば録画開始時刻が現在時刻よりも以前に設定された録画予約情報５８５が組み込まれていたり、組み込まれた情報の一部が欠落した無効なグループ録画予約通知情報５８０を受信した場合には、受信通知識別手段６３１にて、当該グループ録画予約通知情報５８０を無効と判断する。そして、録画予約同報生成手段６３２に、グループ録画予約同報情報６６０を配信させない。このため、サーバ装置６００は、グループ録画予約の設定処理に必要な情報が組み込まれた有効なグループ録画予約通知情報５８０のみに基づいて、グループ録画予約同報情報６６０を生成して、各情報記録装置４０１，４０２などに配信する。したがって、サーバ装置６００は、無効なグループ録画予約通知情報５８０を受信したとしても、このグループ録画予約通知情報５８０に基づいてグループ録画予約の設定処理を実施することがなく、各情報記録装置４０１，４０２などの誤動作などを未然に防ぐことができる。さらに、上述したような機能を有する受信通知識別手段６３１をサーバ装置６００に設けているので、同様の機能を有する例えば受信情報識別手段５３１を各情報記録装置４００，４０１，４０２に設ける必要がない。このため、各情報記録装置４００，４０１，４０２の構成を簡略化できる。
【０１９２】
グループ録画予約通知情報５８０に、グループ録画予約の対象となる各情報記録装置４０１，４０２などを特定する対象の個人ＩＤ５８４を組み込んでいる。また、サーバ装置６００に、個人ＩＤ６５２Ａを記憶する記憶手段６２０を設けている。この個人ＩＤ６５２Ａは、録画同報システム１００に登録された各情報記録装置４００，４０１，４０２などを特定するものである。そして、サーバ装置６００は、受信通知識別手段６３１にて、記憶手段６２０に対象の個人ＩＤ５８４と同一の個人ＩＤ６５２Ａが記憶されているか否かを判断する。この後、対象の個人ＩＤ５８４と同一の個人ＩＤ６５２Ａが記憶されていると判断した場合には、対象の個人ＩＤ５８４により特定される各情報記録装置４０１，４０２などが、録画同報システム１００に登録されていると判断する。そして、録画予約同報生成手段６３２にてグループ録画予約同報情報６６０を配信する。一方で、対象の個人ＩＤ５８４と同一の個人ＩＤ６５２Ａが記憶されていないと判断した場合には、対象の個人ＩＤ５８４により特定される各情報記録装置４０１，４０２などが、録画同報システム１００に登録されていないと判断する。そして、グループ録画予約同報情報６６０を配信しない。
【０１９３】
このような構成により、サーバ装置６００は、録画同報システム１００に登録され対象の個人ＩＤ５８４により特定される各情報記録装置４０１，４０２などに対してのみに、グループ録画予約同報情報６６０を配信する。このため、グループ録画予約の対象となる各情報記録装置４０１，４０２などを、当該各情報記録装置４０１，４０２などを有する個人単位で選択できる。したがって、例えば第１の情報記録装置４００の利用者と趣向が一致する友人が有する、例えば第３の情報記録装置４０２に対してのみにグループ録画予約の設定処理を実施でき、同報管理性を向上できる。
【０１９４】
グループ録画予約同報情報６６０に、グループ録画予約の対象となる各情報記録装置４０１，４０２などを特定する指示先の装置ＩＤ６６１を組み込んでいる。そして、例えば第２の情報記録装置４０１は、グループ録画予約同報情報６６０を受信すると、受信情報識別手段５３１にて、指示先の装置ＩＤ６６１とハードディスク５１０に記憶された自装置ＩＤ５１２Ａとが一致するか否かを判断する。この後、一致すると判断した場合には、当該グループ録画予約同報情報６６０が、当該第２の情報記録装置４０１に対して配信されたものと判断する。そして、録画手段５３２にて、グループ録画予約の設定処理を実施し、一致しないと判断した場合には、当該グループ録画予約同報情報６６０が、当該第２の情報記録装置４０１に対して配信されたものではないと判断し、グループ録画予約の設定処理を実施しない。このような構成により、第２の情報記録装置４０１は、当該第２の情報記録装置４０１に対して配信されたグループ録画予約同報情報６６０に基づいて、グループ録画予約の設定処理を実施し、例えば第３の情報記録装置４０２に対して配信されたグループ録画予約同報情報６６０を受信したとしても、グループ録画予約の設定処理を実施することがない。したがって、第２の情報記録装置４０１に対して設定されるグループ録画予約により録画されるテレビ番組を、当該第２の情報記録装置４０１を有する利用者の趣向に合わせたものにできる。
【０１９５】
グループ録画予約通知情報５８０に、グループ録画予約の対象となるグループを特定する対象のグループＩＤ５８３を組み込んでいる。また、サーバ装置６００の記憶手段６２０に、録画同報システム１００に登録されたグループを特定するグループＩＤ６４２Ａを記憶させている。そして、サーバ装置６００は、受信通知識別手段６３１にて、記憶手段６２０に対象のグループＩＤ５８３と同一のグループＩＤ６４２Ａが記憶されているか否かを判断する。この後、対象のグループＩＤ５８３と同一のグループＩＤ６４２Ａが記憶されていると判断した場合には、対象のグループＩＤ５８３により特定されるグループが、録画同報システム１００に登録されていると判断する。そして、録画予約同報生成手段６３２にて、対象のグループＩＤ５８３により特定されるグループに所属する各情報記録装置４０１，４０２などにグループ録画予約同報情報６６０を配信する。一方で、対象のグループＩＤ５８３と同一のグループＩＤ６４２Ａが記憶されていないと判断した場合には、対象のグループＩＤ５８３により特定されるグループが、録画同報システム１００に登録されていないと判断する。そして、グループ録画予約同報情報６６０を配信しない。
【０１９６】
このような構成により、サーバ装置６００は、録画同報システム１００に登録されたグループに所属する各情報記録装置４０１，４０２などに対してのみに、グループ録画予約同報情報６６０を配信する。このため、グループ録画予約通知情報５８０に組み込んだ例えば１つの対象のグループＩＤ５８３により、グループ録画予約同報情報６６０を配信する複数の各情報記録装置４０１，４０２などを特定できる。このため、複数の各情報記録装置４０１，４０２などに対して、グループ録画予約を設定する場合でも、１つの対象のグループＩＤ５８３をグループ録画予約通知情報５８０に組み込むことで対応でき、グループ録画予約通知情報５８０の情報量を少なくできる。
【０１９７】
グループ録画予約通知情報５８０に、当該グループ録画予約通知情報５８０を配信した、例えば第１の情報記録装置４００を特定する指示元の装置ＩＤ５８１を組み込んでいる。そして、サーバ装置６００は、受信通知識別手段６３１にて、記憶手段６２０に対象のグループＩＤ５８３と同一のグループＩＤ６４２Ａが記憶されていると判断した場合に、この対象のグループＩＤ５８３により特定されるグループに、装置ＩＤ５８１により特定される例えば第１の情報記録装置４００が所属しているか否かを判断する。この後、所属していると判断した場合には、録画予約同報生成手段６３２にて、グループ録画予約同報情報６６０を配信し、所属していないと判断した場合には、グループ録画予約同報情報６６０を配信しない。
【０１９８】
このような構成により、サーバ装置６００は、グループ録画予約の対象となる各情報記録装置４０１，４０２などがグループで特定される場合には、当該グループに所属する例えば第１の情報記録装置４００からのグループ録画予約通知情報５８０のみに基づいて、グループ録画予約同報情報６６０を配信する。このため、各情報記録装置４０１，４０２などに対するグループ録画予約は、当該各情報記録装置４０１，４０２などの所属グループに所属する例えば第１の情報記録装置４００、すなわち当該各情報記録装置４０１，４０２などがグループ録画予約の設定を許可している例えば第１の情報記録装置４００によってのみ設定される。したがって、グループ録画予約により録画されるテレビ番組を、各情報記録装置４００，４０１，４０２などを有する利用者の趣向に合わせたものにできる。また、このような効果を奏することが可能な受信通知識別手段６３１をサーバ装置６００に設けているので、同様の効果を奏することが可能な手段を各情報記録装置４００，４０１，４０２などに設ける必要がない。このため、各情報記録装置４００，４０１，４０２などの構成を簡略化できる。
【０１９９】
例えば第２の情報記録装置４０１のハードディスク５１０に、当該各情報記録装置４０１が所属するグループを特定するグループＩＤ５１２Ｆを記憶させている。また、グループ録画予約同報情報６６０に、グループ録画予約の対象となるグループを特定する対象のグループＩＤ６６４を組み込んでいる。そして、例えば第２の情報記録装置４０１は、グループ録画予約同報情報６６０を受信すると、受信情報識別手段５３１にて、対象のグループＩＤ６６４とハードディスク５１０に記憶されたグループＩＤ５１２Ｆとが一致するか否かを判断する。この後、一致すると判断した場合には、当該グループ録画予約同報情報６６０が、当該第２の情報記録装置４０１の所属グループに所属する例えば第１の情報記録装置４００から配信されたものと判断する。そして、録画手段５３２にて、グループ録画予約の設定処理を実施し、一致しないと判断した場合には、当該グループ録画予約同報情報６６０が、当該第２の情報記録装置４０１の所属グループに所属する例えば第１の情報記録装置４００から配信されたものではないと判断し、グループ録画予約の設定処理を実施しない。
【０２００】
このような構成により、第２の情報記録装置４０１に対して設定されるグループ録画予約は、当該第２の情報記録装置４０１の所属グループに所属する例えば第１の情報記録装置４００、すなわち当該第２の情報記録装置４０１がグループ録画予約の設定を許可している例えば第１の情報記録装置４００によってのみ設定される。したがって、グループ録画予約により録画されるテレビ番組を、当該第２の情報記録装置４０１を有する利用者の趣向に合わせたものにできる。また、当該第２の情報記録装置４０１の所属グループに所属する例えば第３の情報記録装置４０２にも、同じテレビ番組が録画されているので、第３の情報記録装置４０２の利用者と例えば話題を共有できる。
【０２０１】
例えば第２の情報記録装置４０１や第３の情報記録装置４０２に、例えば第１の情報記録装置４００により設定されるグループ録画予約を受け付けるか否かを判断し、この判断に基づいたグループ録画設定情報を生成してサーバ装置６００に送信する録画予約受付確認手段５３４を設けている。また、サーバ装置６００に、各情報記録装置４０１，４０２などからのグループ録画設定情報に基づいて、グループ録画予約状況情報を生成して、グループ録画予約を指示した例えば第１の情報記録装置４００に送信する録画予約状況情報生成手段６３３を設けている。さらに、第１の情報記録装置４００に、グループ録画予約状況情報に記載された、例えば第２の情報記録装置４０１はグループ録画予約を受け付けるなどの情報を表示する映像表示部５６０を接続している。このような構成により、グループ録画予約を指示した第１の情報記録装置４００を有する利用者は、グループ録画予約の対象となる各情報記録装置４０１，４０２などがグループ録画予約を受け付けたか否かを容易に把握できる。
【０２０２】
録画予約状況情報生成手段６３３に、グループ録画予約同報情報６６０を配信した各情報記録装置４０１，４０２などからグループ録画設定情報を受信できたか否かを判断する機能を設けている。さらに、グループ録画設定情報を受信できていないと判断した場合に、グループ録画予約同報情報６６０を再配信させる機能も設けている。このようにグループ録画予約同報情報６６０を再配信させることにより、グループ録画設定情報を返信しない各情報記録装置４０１，４０２などの利用者に、グループ録画設定情報を早急に返信する必要があることを認識させることができる。このため、サーバ装置６００は、各情報記録装置４０１，４０２などからグループ録画設定情報をより迅速に受信でき、例えば第１の情報記録装置４００にグループ録画予約状況情報を送信できる。したがって、第１の情報記録装置４００の利用者は、グループ録画予約の対象となる各情報記録装置４０１，４０２などがグループ録画予約を受け付けたか否かをより迅速に把握できる。
【０２０３】
サーバ装置６００に、現在日時を計時するサーバ計時手段６３４を設けている。そして、サーバ装置６００は、録画予約状況情報生成手段６３３にて、グループ録画予約同報情報６６０を配信した各情報記録装置４０１，４０２などからグループ録画設定情報を受信できていないと判断した場合に、サーバ計時手段６３４から現在時刻を取得する。さらに、グループ録画予約同報情報６６０の録画予約情報６６５を参照して、グループ録画予約の録画開始時刻を認識する。そして、録画開始時刻まで所定時間以上、例えば３０分以上あるか否かを判断し、所定時間以上あると判断した場合には、グループ録画設定情報を返信していない例えば第３の情報記録装置４０２にグループ録画予約同報情報６６０を再配信させ、所定時間以上ないと判断した場合には、グループ録画予約同報情報６６０を配信させない。
【０２０４】
このような構成により、サーバ装置６００は、録画開始時刻まで時間が所定時間以下となるまで、例えば任意の間隔で例えば第３の情報記録装置４０２にグループ録画予約同報情報６６０を何回も再配信する。このため、サーバ装置６００は、例えば第３の情報記録装置４０２の利用者が、例えば第１の情報記録装置４００がグループ録画予約同報情報６６０を２回再配信した時点で帰宅していない場合でも、３回目の再配信の前に帰宅していれば、当該利用者にグループ録画設定情報を返信する必要があることを認識させることができる。したがって、サーバ装置６００は、グループ録画予約同報情報６６０を配信した各情報記録装置４０１，４０２などからグループ録画設定情報をより確実に受信できる。このことにより、例えば第１の情報記録装置４００の利用者は、グループ録画予約の対象となる各情報記録装置４０１，４０２などがグループ録画予約を受け付けたか否かをより確実に把握できる。
【０２０５】
また、上述したように、サーバ装置６００にサーバ計時手段６３４を設けている。このような構成により、例えば第１の情報記録装置４００の記録装置計時手段５３５が計時する時刻が、例えば各情報記録装置４０１，４０２などの記録装置計時手段５３５およびサーバ装置６００のサーバ計時手段６３４が計時する時刻よりも、例えば１時間遅れているとする。そして、サーバ装置６００が、例えばサーバ計時手段６３４が２２時を計時しているときに、第１の情報記録装置４００から録画開始時刻が例えば２１時３０分に設定されたグループ録画予約通知情報５８０を受信したとする。このとき、第１の情報記録装置４００の記録装置計時手段５３５が計時している時刻は２１時なので、このグループ録画予約通知情報５８０により設定されるグループ録画予約は、第１の情報記録装置４００に対しては有効である。一方で、各情報記録装置４０１，４０２などの記録装置計時手段５３５の記録装置計時手段５３５が計時している時刻は２２時なので、当該グループ録画予約は、各情報記録装置４０１，４０２などに対しては無効である。そして、このような場合、サーバ装置６００は、当該グループ録画予約通知情報５８０を受信すると、受信通知識別手段６３１にて、サーバ計時手段６３４が計時する時刻が当該グループ録画予約通知情報５８０により設定される録画開始時刻をすぎているため、当該グループ録画予約通知情報５８０が無効であると判断する。そして、各情報記録装置４０１，４０２などに対してグループ録画予約の設定処理を実施しない。
【０２０６】
このように、サーバ装置６００は、サーバ計時手段６３４に基づいてグループ録画予約の設定処理を実施するため、記録装置計時手段５３５が調整されていない第１の情報記録装置４００からの無効なグループ録画予約通知情報５８０を受信したとしても、グループ録画予約の設定処理を実施することがない。このため、グループ録画予約の設定処理を、サーバ計時手段６３４が計時する時刻、いわゆる基準時間に基づいて実施できる。したがって、各情報記録装置４００，４０１，４０２などの記録装置計時手段５３５が調整されていなくても、常に正確な時間に基づいてグループ録画予約の設定処理を実施でき、適切な同様の処理管理ができる。
【０２０７】
各情報記録装置４００，４０１，４０２などに、グループ録画予約指示情報３７０を生成する入力部５００およびＣＰＵ５３０を設けている。このため、利用者は、入力部５００の入力操作などにより、容易にグループ録画予約の設定処理を実施できる。
【０２０８】
例えば第２の情報記録装置４０１に、例えば第１の情報記録装置４００により設定されるグループ録画予約を受け付けるか否かの入力操作に対応して、所定の信号を出力する入力部５００を設けている。そして、第２の情報記録装置４０１の録画予約受付確認手段５３４は、入力部５００からの所定の信号に基づいて、グループ録画設定情報を生成してサーバ装置６００に送信する。このため、例えば第２の情報記録装置４０１の利用者に、例えば第１の情報記録装置４００により設定されるグループ録画予約を受け付けるか否かを判断させることができる。したがって、グループ録画予約により第２の情報記録装置４０１に録画されるテレビ番組を、当該第２の情報記録装置４０１の利用者の趣向に合わせたものにすることができる。
【０２０９】
例えば第２の情報記録装置４０１にネットワーク２００を介して接続された第２の端末装置３０１を設けている。この第２の端末装置３０１は、送受信器３１０と、端末入力部３２０と、端末表示部３３０と、処理部３５０と、を備えている。第２の端末装置３０１は、送受信器３１０にて、第２の情報記録装置４０１よりネットワーク２００を介して送信される、例えば第１の情報記録装置４００により設定されるグループ録画予約を受け付けるか否かの入力操作を要求する予約受付確認情報を受信する。すると、第２の端末装置３０１は、処理部３５０にて、入力操作を促す旨の表示画面を端末表示部３３０に表示させる。この後、第２の端末装置３０１の利用者による端末入力部３２０の入力操作に対応した所定の信号を、ネットワーク２００を介して第２の情報記録装置４０１に送信する。そして、第２の情報記録装置４０１の録画予約受付確認手段５３４は、第２の端末装置３０１からの所定の信号を受信し、この受信した所定の信号に基づいて、グループ録画設定情報を生成してサーバ装置６００に送信する。
【０２１０】
このような構成により、例えば第２の情報記録装置４０１の利用者は、例えば外出先からでも第２の端末装置３０１を用いて、グループ録画予約を受け付けるか否かを判断できる。したがって、いついかなる場所からでも、グループ録画予約により録画されるテレビ番組を当該第２の情報記録装置４０１の利用者の趣向に合わせたものにすることができる、汎用性が高い録画同報システム１００を提供できる。
【０２１１】
例えば第２の情報記録装置４０１の録画予約受付確認手段５３４に、グループ録画予約を受け付けるか否かを確認する処理を実施した後、記録装置計時手段５３５から現在時刻を取得する機能を設けている。また、待機時間の例えば１分経過後に、入力部５００または第２の端末装置３０１から、グループ録画予約を受け付けるか否かの入力操作に対応した所定の信号を、受信できたか否かを判断する機能も設けている。さらに、受信できないと判断した場合には、グループ録画予約を受け付けるか否かの入力操作を要求する予約受付確認情報を出力する機能も設けている。
【０２１２】
このような構成により、例えば第２の情報記録装置４０１は、当該第２の情報記録装置４０１の利用者に、グループ録画予約を受け付けるか否かの入力操作を早急に実施させることができる。そして、第２の情報記録装置４０１は、前記利用者よりグループ録画予約を受け付けるか否かの情報をより迅速に受信でき、サーバ装置６００にグループ録画設定情報をより迅速に送信できる。このため、サーバ装置６００は、例えば第１の情報記録装置４００にグループ録画予約状況情報をより迅速に送信できる。したがって、例えば第１の情報記録装置４００の利用者は、グループ録画予約の対象となる各情報記録装置４０１，４０２などがグループ録画予約を受け付けたか否かをより迅速にかつ確実に把握できる。
【０２１３】
例えば第１の情報記録装置４００にネットワーク２００を介して接続された第１の端末装置３００を設けている。そして、この第１の端末装置３００に、グループ録画予約指示情報３７０を生成して、ネットワーク２００を介して第１の情報記録装置４００に送信する機能を設けている。このため、例えば第１の情報記録装置４００の利用者は、例えば外出先からでも第１の端末装置３００を用いて、グループ録画予約の設定処理をできる。したがって、いついかなる場所からでもグループ録画予約の設定処理を実施でき、汎用性が高い録画同報システム１００を提供できる。
【０２１４】
録画同報システム１００におけるグループ録画予約を設定する際に用いる、グループ録画予約指示情報３７０に、グループ録画予約を指示する例えば第１の情報記録装置４００を特定する自装置ＩＤ３７１と、グループ録画予約の対象となる例えば第２の情報記録装置４０１や第３の情報記録装置４０２が所属するグループを特定する対象のグループＩＤ３７２と、グループ録画予約の対象となる例えば第２の情報記録装置４０１や第３の情報記録装置４０２を個別に特定する対象の個人ＩＤ３７３と、録画基本情報である録画予約情報３７４と、を組み込んでいる。このような構成により、必要最低限の情報量でグループ録画予約の設定処理を実施できる。
【０２１５】
［実施の形態の変形］
なお、本発明は、上述した実施の形態に限定されるものではなく、本発明の目的を達成できる範囲で以下に示される変形をも含むものである。
【０２１６】
すなわち、上記実施の形態では、第１の端末装置３００にて生成されたグループ録画予約指示情報３７０に基づいて実施されるグループ録画予約の設定処理について例示したが、これに限らず例えば以下のようにグループ録画予約を設定してもよい。
【０２１７】
すなわち、例えばリモコンや第１の情報記録装置４００の入力部５００の設定入力により、グループ録画予約指示情報３７０を生成する。そして、この生成されたグループ録画予約指示情報３７０を、第１の情報記録装置４００のＣＰＵ５３０に出力することにより、当該第１の情報記録装置４００にグループ録画予約の設定処理を実施させる構成としてもよい。このような構成にすれば、録画同報システム１００に、第１の端末装置３００を設ける必要がなくなるので、録画同報システム１００の構成を簡略化できる。
【０２１８】
録画同報システム１００において、グループ録画予約の対象とする第２の情報記録装置４０１や第３の情報記録装置４０２などを、当該各情報記録装置４０１，４０２などを有する個人単位、および、当該各情報記録装置４０１，４０２などが所属するグループ単位で設定可能な構成について例示したが、これに限らずグループ単位のみで設定可能な構成としてもよい。このような場合、第１の情報記録装置４００は、ステップＳ１０２において、自装置ＩＤ３７１と自装置ＩＤ５１２Ａとが一致しないと判断した場合には、グループ録画予約の設定処理を終了する。一方で、一致すると判断した場合には、ステップＳ１０７の処理を実施する。そして、ステップＳ１０７において、グループ録画予約の対象のグループが、第１の情報記録装置４００の所属グループでないと判断した場合には、グループ録画予約の設定処理を終了する。一方で、第１の情報記録装置４００の所属グループであると判断した場合には、ステップＳ１０５の処理を実施する。このため、ステップＳ１０３，Ｓ１０４，Ｓ１０８の処理を省略できる。したがって、グループ録画予約を指示する例えば第１の情報記録装置４００における、グループ録画予約の設定処理時間を短縮できる。
【０２１９】
また、サーバ装置６００は、ステップＳ２０２において、グループ録画予約通知情報５８０により設定されるグループ録画予約の対象となるグループが、当該サーバ装置６００に登録されていないと判断した場合には、グループ録画予約通知情報５８０が無効であると判断してグループ録画予約の設定処理を終了する。一方で、当該サーバ装置６００に登録されていると判断した場合には、ステップＳ２０７の処理を実施する。そして、ステップＳ２０７において、グループ録画予約通知情報５８０を送信した第１の情報記録装置４００が、当該対象となるグループに所属していないと判断した場合には、グループ録画予約の設定処理を終了する。一方で、当該対象となるグループに所属していると判断した場合には、ステップＳ２０４の処理を実施する。このため、ステップＳ２０３，Ｓ２０８の処理も省略できる。したがって、サーバ装置６００における、グループ録画予約の設定処理時間を短縮できる。
【０２２０】
さらに、例えば第２の情報記録装置４０１は、ステップＳ３０２において、指示先の装置ＩＤ６６１と自装置ＩＤ５１２Ａとが一致しないと判断した場合には、グループ録画予約の設定処理を終了する。一方で、一致すると判断した場合には、ステップＳ３０６の処理を実施する。このため、ステップＳ３０３の処理を省略できる。したがって、グループ録画予約が指示される例えば第２の情報記録装置４０１における、グループ録画予約の設定処理時間を短縮できる。
【０２２１】
そして、第１の端末装置３００のメモリ３４０に、登録個人数情報３６４および登録個人情報３６５を記憶させる必要がなくなる。また、第１の情報記録装置４００のハードディスク５１０に、登録個人数情報５１２Ｄおよび登録個人情報５１２Ｅを記憶させる必要がなくなる。さらに、サーバ装置６００の記憶手段６２０に、個人リスト６５０を記憶させる必要がなくなる。このため、第１の端末装置３００のメモリ３４０、第１の情報記録装置４００のハードディスク５１０、サーバ装置６００の記憶手段６２０の容量を小さくできる。
【０２２２】
また、グループ録画予約指示情報３７０に、対象の個人ＩＤ３７３を組み込む必要がなくなる。さらに、グループ録画予約通知情報５８０に、対象の個人ＩＤ５８４を組み込む必要がなくなる。このため、グループ録画予約指示情報３７０、グループ録画予約通知情報５８０に組み込まれた情報量を減らすことができ、これらの送受信を迅速にできる。
【０２２３】
グループ録画予約の対象とする例えば第２の情報記録装置４０１や第３の情報記録装置４０２を、例えば第２の情報記録装置４０１や第３の情報記録装置４０２を有する個人単位のみで設定可能な構成としてもよい。このような場合、第１の情報記録装置４００は、ステップＳ１０２において、自装置ＩＤ３７１と自装置ＩＤ５１２Ａとが一致しないと判断した場合には、グループ録画予約の設定処理を終了する。一方で、一致すると判断した場合には、ステップＳ１０８の処理を実施する。そして、ステップＳ１０８において、グループ録画予約指示情報３７０に対象の個人ＩＤ３７３が組み込まれていないと判断した場合には、グループ録画予約の設定処理を終了する。一方で、対象の個人ＩＤ３７３が組み込まれていると判断した場合には、ステップＳ１０５の処理を実施する。このため、ステップＳ１０３，Ｓ１０４，Ｓ１０７の処理を省略できる。したがって、グループ録画予約を指示する例えば第１の情報記録装置４００における、グループ録画予約の設定処理時間を短縮できる。
【０２２４】
また、サーバ装置６００は、ステップＳ２０２において、グループ録画予約通知情報５８０により設定されるグループ録画予約の対象となる個人が、当該サーバ装置６００に登録されていないと判断した場合には、グループ録画予約通知情報５８０が無効であると判断してグループ録画予約の設定処理を終了する。一方で、当該サーバ装置６００に登録されていると判断した場合には、ステップＳ２０８の処理を実施する。そして、ステップＳ２０８において、対象となる個人がサーバ装置６００に登録されていないと判断した場合には、グループ録画予約の設定処理を終了する。一方で、サーバ装置６００に登録されていると判断した場合には、ステップＳ２０４の処理を実施する。このため、ステップＳ２０３，Ｓ２０７の処理も省略できる。したがって、サーバ装置６００における、グループ録画予約の設定処理時間を短縮できる。
【０２２５】
さらに、例えば第２の情報記録装置４０１は、ステップＳ３０２において、指示先の装置ＩＤ６６１と自装置ＩＤ５１２Ａとが一致しないと判断した場合には、グループ録画予約の設定処理を終了する。一方で、一致すると判断した場合には、ステップＳ３０４の処理を実施する。このため、ステップＳ３０３，Ｓ３０６の処理も省略できる。したがって、グループ録画予約が指示される例えば第２の情報記録装置４０１における、グループ録画予約の設定処理時間を短縮できる。
【０２２６】
そして、第１の端末装置３００のメモリ３４０に、所属グループ数情報３６２および所属グループ情報３６３を記憶させる必要がなくなる。また、第１の情報記録装置４００のハードディスク５１０に、所属グループ数情報５１２Ｂおよび所属グループ情報５１２Ｃを記憶させる必要がなくなる。さらに、サーバ装置６００の記憶手段６２０に、グループリスト６４０を記憶させる必要がなくなる。このため、第１の端末装置３００のメモリ３４０、第１の情報記録装置４００のハードディスク５１０、サーバ装置６００の記憶手段６２０の容量を小さくできる。
【０２２７】
また、グループ録画予約指示情報３７０に、対象のグループＩＤ３７２を組み込む必要がなくなる。さらに、グループ録画予約通知情報５８０に、対象のグループＩＤ５８３を組み込む必要がなくなる。また、グループ録画予約同報情報６６０に、対象のグループＩＤ６６４を組み込む必要がなくなる。このため、グループ録画予約指示情報３７０、グループ録画予約通知情報５８０、グループ録画予約同報情報６６０の情報量を減らすことができ、これらの送受信を迅速にできる。
【０２２８】
グループ録画予約指示情報３７０に自装置ＩＤ３７１を、グループ録画予約通知情報５８０に指示元の装置ＩＤ５８１を、グループ録画予約同報情報６６０に指示元の装置ＩＤ６６２を組み込んだ構成について例示したが、これに限らずこれらを組み込まない構成としてもよい。このような場合、第１の情報記録装置４００は、ステップＳ１０１においてグループ録画予約指示情報３７０を受信した後に、ステップＳ１０３の処理を実施する。このため、ステップＳ１０２の処理を省略できる。したがって、グループ録画予約を指示する例えば第１の情報記録装置４００における、グループ録画予約の設定処理時間を短縮できる。
【０２２９】
また、サーバ装置６００は、ステップＳ２０３において対象のグループがサーバ装置６００に登録されていると判断した場合には、ステップＳ２０８の処理を実施する。このため、ステップＳ２０７の処理を省略できる。したがって、サーバ装置６００における、グループ録画予約の設定処理時間を短縮できる。
【０２３０】
さらに、グループ録画予約指示情報３７０、グループ録画予約通知情報５８０、グループ録画予約同報情報６６０の情報量を減らすことができ、これらの送受信をさらに迅速にできる。
【０２３１】
グループ録画予約通知情報５８０に録画予約ＩＤ５８２を、グループ録画予約同報情報６６０に録画予約ＩＤ６６３を組み込んだ構成について例示したが、これに限らずこれらを組み込まない構成としてもよい。このような構成にすれば、グループ録画予約通知情報５８０、グループ録画予約同報情報６６０の情報量を減らすことができ、これらの送受信をさらに迅速にできる。
【０２３２】
また、各情報記録装置４００，４０１，４０２の予約情報５１４ＢＮｒに録画予約ＩＤ５１４Ｃを組み込む必要がなくなり、ハードディスク５１０の容量を小さくできる。
【０２３３】
第１の情報記録装置４００の受信情報識別手段５３１に、グループ録画予約指示情報３７０の有効性を識別する機能を設けた構成について例示したが、このような機能を設けない構成としてもよい。このような場合、第１の情報記録装置４００は、ステップＳ１０１において、グループ録画予約指示情報３７０を受信した後に、ステップＳ１０６の処理を実施して、グループ録画予約指示情報３７０に基づいて予約情報５１４ＢＮｒを生成する。このため、ステップＳ１０２ないしステップＳ１０５、ステップＳ１０７、ステップＳ１０８の処理を省略できる。したがって、グループ録画予約を指示する例えば第１の情報記録装置４００における、グループ録画予約の設定処理時間を短縮できる。
【０２３４】
例えば第２の情報記録装置４０１の受信情報識別手段５３１に、グループ録画予約同報情報６６０の有効性を識別する機能を設けた構成について例示したが、このような機能を設けない構成としてもよい。このような場合、第２の情報記録装置４０１は、ステップＳ３０１において、グループ録画予約同報情報６６０を受信した後に、ステップＳ３０５の処理を実施して、グループ録画予約を受け付けるか否かを確認する。このため、ステップＳ３０２ないしステップＳ３０４、ステップＳ３０６の処理を省略できる。したがって、グループ録画予約が指示される例えば第２の情報記録装置４０１における、グループ録画予約の設定処理時間を短縮できる。
【０２３５】
各情報記録装置４００，４０１，４０２に設けられたハードディスク５１０に、テレビ番組を録画する構成について例示したが、これに限らず例えば各情報記録装置４００，４０１，４０２に着脱可能なＤＶＤやビデオテープなどの記録媒体に、テレビ番組を録画させる構成などとしてもよい。このように着脱可能な記録媒体にテレビ番組を録画する構成とすれば、記録媒体を各情報記録装置４００，４０１，４０２から適宜取り外すことで、録画したテレビ番組を例えば半永久的に保存できる。このため、汎用性が高い録画同報システム１００を提供できる。
【０２３６】
例えば第１の情報記録装置４００からのグループ録画予約を、ネットワーク２００およびサーバ装置６００を介して、例えば各情報記録装置４０１，４０２などに設定する構成について例示したが、これに限らず例えば以下のような構成としてもよい。すなわち、例えば各情報記録装置４００，４０１，４０２などを、例えばＬＡＮケーブルなどでサーバ装置６００に接続して、グループ録画予約の設定処理を実施する構成としてもよい。このような構成にすれば、ネットワーク２００を介さないでグループ録画予約の設定処理を実施できる。このため、例えばネットワーク２００の混雑などの、各情報記録装置４００，４０１，４０２などに直接関係ない要因により、グループ録画予約の設定処理に例えば多大な時間を費やすことがなくなる。したがって、常に短時間でグループ録画予約の設定処理が可能な録画同報システムを提供できる。
【０２３７】
また、例えば各情報記録装置４００，４０１，４０２などをネットワーク２００を介して接続して、グループ録画予約の設定処理を実施する構成としてもよい。このような構成にすれば、サーバ装置６００を介さないでグループ録画予約の設定処理を実施できる。このため、例えばサーバ装置６００のメンテナンスなどの、各情報記録装置４００，４０１，４０２などに直接関係ない要因により、グループ録画予約の設定処理が実施不可能になることがなくなる。したがって、常にグループ録画予約の設定処理が可能な録画同報システムを提供できる。さらに、サーバ装置６００を備えないので録画同報システムの構成を簡略化できる。
【０２３８】
さらに、例えば第１の情報記録装置４００を、例えばＬＡＮケーブルなどで例えば各情報記録装置４０１，４０２などに接続して、グループ録画予約の設定処理を実施する構成としてもよい。このような構成にすれば、ネットワーク２００およびサーバ装置６００を介さないでグループ録画予約の設定処理を実施できる。このため、例えばネットワーク２００の混雑やサーバ装置６００のメンテナンスなどの、各情報記録装置４００，４０１，４０２などに直接関係ない要因により、グループ録画予約の設定処理に例えば多大な時間を費やすことがなくなる。したがって、常に短時間でグループ録画予約の設定処理が可能な録画同報システムを提供できる。なお、以下において、サーバ装置６００を備えない録画同報システムを、簡易録画同報システムとして適宜称する。
【０２３９】
簡易録画同報システムを、例えば以下のような構成としてもよい。すなわち、例えば第１の情報記録装置４００のＣＰＵ５３０に、サーバ装置６００のＣＰＵ６３０に設けられた録画予約同報生成手段６３２および録画予約状況情報生成手段６３３を設ける。そして、録画予約同報生成手段６３２に、受信したグループ録画予約指示情報３７０に基づいてグループ録画予約同報情報６６０を生成して、例えば各情報記録装置４０１，４０２などに配信する機能を設ける。また、録画予約状況情報生成手段６３３に、記録装置計時手段５３５にて計時する待機時間内に、グループ録画予約同報情報６６０を配信した全ての例えば各情報記録装置４０１，４０２などから、グループ録画設定情報を受信したか否かを判断する機能を設ける。さらに、録画予約状況情報生成手段６３３に、前記待機時間内に、全ての各情報記録装置４０１，４０２などからグループ録画設定情報を受信できていないと判断した場合に、グループ録画設定情報を返信していない各情報記録装置４０１，４０２などに、グループ録画予約同報情報６６０を再配信させる機能を設ける。
【０２４０】
このようにグループ録画設定情報を返信していない各情報記録装置４０１，４０２などに、グループ録画予約同報情報６６０を再配信させることにより、グループ録画設定情報を返信しない各情報記録装置４０１，４０２などの利用者に、グループ録画設定情報を早急に返信する必要があることを認識させることができる。このため、第１の情報記録装置４００は、各情報記録装置４０１，４０２などからグループ録画設定情報をより迅速に受信できる。したがって、第１の情報記録装置４００の利用者は、グループ録画予約の対象となる各情報記録装置４０１，４０２などがグループ録画予約を受け付けたか否かをより迅速に把握できる。
【０２４１】
さらに、簡易録画同報システムの例えば第１の情報記録装置４００の録画予約状況情報生成手段６３３に、グループ録画予約同報情報６６０を配信した各情報記録装置４０１，４０２などからグループ録画設定情報を受信できていないと判断した場合に、以下のような処理を実施させる機能を設けてもよい。すなわち、各情報記録装置４０１，４０２などからグループ録画設定情報を受信できていないと判断した場合に、記録装置計時手段５３５から現在時刻を取得するとともに、グループ録画予約同報情報６６０の録画予約情報６６５を参照して、グループ録画予約の録画開始時刻を認識する。そして、録画開始時刻まで所定時間以上、例えば３０分以上あるか否かを判断し、所定時間以上あると判断した場合には、グループ録画設定情報を返信していない例えば第３の情報記録装置４０２にグループ録画予約同報情報６６０を再配信させ、所定時間以上ないと判断した場合には、グループ録画予約同報情報６６０を再配信させない。
【０２４２】
このような構成により、例えば第１の情報記録装置４００は、録画開始時刻まで時間が所定時間以下となるまで、例えば任意の間隔で例えば第３の情報記録装置４０２にグループ録画予約同報情報６６０を何回も再配信する。このため、第１の情報記録装置４００は、例えば第３の情報記録装置４０２の利用者が、例えば第１の情報記録装置４００がグループ録画予約同報情報６６０を２回再配信した時点で帰宅していない場合でも、３回目の再配信の前に帰宅していれば、当該利用者にグループ録画設定情報を返信する必要があることを認識させることができる。したがって、第１の情報記録装置４００は、グループ録画予約同報情報６６０を配信した各情報記録装置４０１，４０２などからグループ録画設定情報をより確実に受信できる。このことにより、当該第１の情報記録装置４００の利用者は、グループ録画予約の対象となる各情報記録装置４０１，４０２などがグループ録画予約を受け付けたか否かをより確実に把握できる。
【０２４３】
サーバ装置６００に、グループ録画予約通知情報５８０の有効性を識別する受信通知識別手段６３１を設けた構成について例示したが、この受信通知識別手段６３１を設けない構成としてもよい。このような場合、サーバ装置６００は、ステップＳ２０１において、グループ録画予約通知情報５８０を受信した後に、ステップＳ２０５の処理を実施して、グループ録画予約通知情報５８０に基づいてグループ録画予約同報情報６６０を生成する。このため、ステップＳ２０２ないしステップＳ２０４、ステップＳ２０７、ステップＳ２０８の処理を省略できる。したがって、サーバ装置６００における、グループ録画予約の設定処理時間を短縮できる。
【０２４４】
サーバ装置６００に、録画予約状況情報生成手段６３３を設けた構成について例示したが、この録画予約状況情報生成手段６３３を設けない構成としてもよい。このような場合、サーバ装置６００は、ステップＳ２０６において、グループ録画予約同報情報６６０を配信した後に、グループ録画予約の設定処理を終了する。このため、ステップＳ２０９ないしステップＳ２１３の処理を省略できる。したがって、サーバ装置６００における、グループ録画予約の設定処理時間を短縮できる。
【０２４５】
また、第２の情報記録装置４０１は、ステップＳ３０４において、録画予約情報６６５が無効であると判断した場合には、グループ録画予約処理の設定処理を終了する。一方で、有効であると判断した場合には、ステップＳ３１３およびステップＳ３１４の処理を実施した後に、グループ録画予約の設定処理を終了する。このため、ステップＳ３０５、ステップＳ３０７ないしステップＳ３１２の処理も省略できる。したがって、グループ録画予約が指示される例えば第２の情報記録装置４０１における、グループ録画予約の設定処理時間を短縮できる。
【０２４６】
そして、サーバ装置６００に、サーバ計時手段６３４を設ける必要がなくなる。さらに、例えば第２の情報記録装置４０１に、録画予約受付確認手段５３４を設ける必要がなくなる。このため、サーバ装置６００や第２の情報記録装置４０１の構成を簡略化できる。
【０２４７】
サーバ装置６００の録画予約状況情報生成手段６３３に、グループ録画設定情報を返信しない例えば第３の情報記録装置４０２に、グループ録画予約同報情報６６０を再配信させる機能を設けたが、このような機能を設けない構成としてもよい。このような場合、サーバ装置６００は、ステップＳ２０６において、グループ録画予約同報情報６６０を例えば第２の情報記録装置４０１および第３の情報記録装置４０２に配信した後に、各情報記録装置４０１，４０２からグループ録画設定情報を受信する。そして、グループ録画予約同報情報６６０を配信した全ての例えば各情報記録装置４０１，４０２から、グループ録画設定情報を受信しなくても、ステップＳ２１０，Ｓ２１０の処理を実施した後に、グループ録画予約の設定処理を終了する。このため、ステップＳ２０９，Ｓ２１２，Ｓ２１１，Ｓ２１３の処理を省略できる。したがって、サーバ装置６００における、グループ録画予約の設定処理時間を短縮できる。
【０２４８】
サーバ装置６００の録画予約状況情報生成手段６３３に、生成したグループ録画予約状況情報を第１の情報記録装置４００に送信する機能を設けたが、このような機能を設けない構成としてもよい。このような場合、サーバ装置６００は、ステップＳ２１０において、グループ録画予約状況情報を生成した後に、このグループ録画予約状況情報を例えばハードディスク５１０に記憶させ、グループ録画予約の設定処理を終了する。このため、ステップＳ２１１の処理を省略できる。したがって、サーバ装置６００における、グループ録画予約の設定処理時間を短縮できる。なお、このような構成において、第１の情報記録装置４００の利用者がグループ録画予約の状況を認識する方法としては、第１の情報記録装置４００や第１の端末装置３００により、ネットワーク２００を介してサーバ装置６００のハードディスク５１０に記憶されたグループ録画予約状況情報を参照する方法が例示できる。
【０２４９】
例えば第２の情報記録装置４０１の録画予約受付確認手段５３４に、予約受付確認情報を第２の端末装置３０１に送信する機能を設けたが、このような機能を設けない構成としてもよい。このような場合、第２の情報記録装置４０１は、ステップＳ３０５において、グループ録画予約を受け付けるか否かを確認する。そして、待機時間の例えば１分経過後にグループ録画予約を受け付けるか否かを確認できていなくても、ステップＳ３１０の処理を実施する。この後、ステップＳ３１１ないしステップＳ３１４の処理を適宜実施した後に、グループ録画予約の設定処理を終了する。このため、ステップＳ３０８，Ｓ３０９の処理を省略できる。したがって、グループ録画予約が指示される例えば第２の情報記録装置４０１における、グループ録画予約の設定処理時間を短縮できる。また、録画同報システム１００に、第２の端末装置３０１を設ける必要がなくなり、録画同報システム１００の構成を簡略化できる。
【０２５０】
例えば第２の情報記録装置４０１の録画予約受付確認手段５３４に、グループ録画予約を受け付けるか否かの設定入力を促すための表示画面を、映像表示部５６０に表示させる機能を設けたが、このような機能を設けない構成としてもよい。すなわち、ステップＳ３０４において、グループ録画予約同報情報６６０が有効であると判断した後に、ステップＳ３０５の処理を実施せずにステップＳ３０８およびステップＳ３０９の処理を実施して、第２の端末装置３０１に予約受付確認情報を送信する構成としてもよい。このような場合、第２の情報記録装置４０１は、ステップＳ３０９の処理を実施した後に、ステップＳ３０７ないしステップＳ３１４の処理を適宜実施しグループ録画予約の設定処理を終了する。このため、ステップＳ３０５の処理を省略できる。したがって、グループ録画予約が指示される例えば第２の情報記録装置４０１における、グループ録画予約の設定処理時間を短縮できる。
【０２５１】
例えば第１の情報記録装置４００の入力部５００を、当該第１の情報記録装置４００の正面に配設された各種操作ボタンとした構成について例示したが、これに限らず例えば第１の情報記録装置４００に図示しない端子部を設け、この端子部に例えばキーボードなどの図示しない入力手段を接続する構成としてもよい。このような構成にすれば、例えば第１の情報記録装置４００と例えばキーボードとを図示しないケーブルを介して接続できるので、例えば利用者は第１の情報記録装置４００から隔たる位置からでも、キーボードの入力操作によりグループ録画予約の設定などを実施できる。
【０２５２】
ステップＳ３０５において、グループ録画予約を受け付けるか否かの設定入力を促すための表示画面などを、映像表示部５６０に表示させる構成について例示したが、これに限らず例えば以下のような構成としてもよい。
【０２５３】
すなわち、例えば第２の情報記録装置４０１の正面などに例えば液晶や有機ＥＬなどで構成された図示しない記録装置表示部を設ける。そして、この記録装置表示部に前記表示画面を表示させる構成としてもよい。このような構成にすれば、例えば第２の情報記録装置４０１に映像表示部５６０を接続する必要がなくなる。したがって、例えば第２の情報記録装置４０１の設置スペースを小さくでき、配線作業も削減できる。
【０２５４】
ステップＳ３０４において、録画予約情報６６５が有効であると判断した場合に、ステップＳ３０５の処理を実施し、グループ録画予約を受け付けるか否かを確認する構成について例示したが、これに限らずグループ録画予約を受け付けるか否かの確認処理を実施しない構成としてもよい。このような場合、例えば第２の情報記録装置４０１は、受信情報識別手段５３１にて、ステップＳ３０４において、録画予約情報６６５が無効であると判断した場合には、グループ録画予約の設定処理を終了する。一方で、有効であると判断した場合には、ステップＳ３１３の処理を実施する。このため、ステップＳ３０５、ステップＳ３０７ないしステップＳ３１０の処理を省略できる。したがって、例えば第２の情報記録装置４０１における、グループ録画予約の設定処理時間を短縮できる。
【０２５５】
ステップＳ３０７において、グループ録画予約を受け付けるか否かを確認できたと判断した場合に、ステップＳ３１０の処理を実施し、当該確認した情報がグループ録画予約を受け付けるものであるか否かを判断する構成について例示したが、これに限らず例えば以下のような構成としてもよい。
【０２５６】
すなわち、例えば第２の情報記録装置４０１は、録画予約受付確認手段５３４にて、所定の回数や所定の時間だけステップＳ３０７ないしステップＳ３０９の処理を実施する。そして、グループ録画予約を受け付けるか否かを確認できない場合には、予め設定された条件に基づいて当該グループ録画予約を受け付けるか否かを決定する。このような構成により、第２の情報記録装置４０１の利用者が、例えば第２の端末装置３０１を携帯せずに外出し、グループ録画予約を受け付けるか否かの設定入力を実施できない場合でも、第２の情報記録装置４０１は、所定時間後に録画予約受付確認手段５３４にて、グループ録画予約を受け付けるか否かを決定する。そして、この決定に基づき、グループ録画設定情報を生成してサーバ装置６００に送信する。このため、グループ録画予約を指示する例えば第１の情報記録装置４００は、第２の情報記録装置４０１がグループ録画予約を受け付けるか否かを所定時間内に確実に認識できる。
【０２５７】
ステップＳ３０９において、予約受付確認情報を電子メールで直接第２の端末装置３０１に送信する構成について例示したが、これに限らず例えば予約受付確認情報とともに、グループ録画予約同報情報６６０の指示元の装置ＩＤ６６２をサーバ装置６００に送信する。そして、サーバ装置６００にて指示元の装置ＩＤ６６２に対応するメールアドレス６５２Ｃを検索させて、サーバ装置６００から第２の端末装置３０１に、電子メールを用いて予約受付確認情報を送信する構成としてもよい。このような構成にすれば、例えば第２の情報記録装置４０１のハードディスク５１０に、メールアドレス５１３Ａを記憶させる必要がなくなる。このため、例えば第２の情報記録装置４０１のハードディスク５１０の容量を小さくでき、小型軽量化が容易に図れる。
【０２５８】
本発明の要求情報により要求される処理を、録画を予約する処理としたが、これに限らず例えば録画を実施する処理などとしてもよい。
【０２５９】
本発明の要求情報により要求される処理を、録画を予約する処理としたが、これに限らず例えば録画したテレビ番組の再生、録音した音楽の再生、特定のプログラムの動作などとしてもよい。
【０２６０】
各情報記録装置４００，４０１，４０２として、テレビ番組を録画可能なハードディスクレコーダなどを用いた録画同報システム１００について例示したが、これに限らず例えば各情報記録装置４００，４０１，４０２として、ラジオ番組を録音可能なステレオレコーダを用いた録音同報システムなどに、本発明を適用してもよい。
【０２６１】
さらに、各情報記録装置４００，４０１，４０２として、コンピュータを用いて、例えばネットワーク２００を介して配信されるコンテンツを録画するコンテンツ録画同報システムなどに、本発明を適用してもよい。
【０２６２】
また、情報処理システムとして各端末装置３００，３０１、各情報記録装置４００，４０１，４０２、および、サーバ装置６００がネットワーク２００を介して接続された録画同報システム１００の構成について説明したが、この構成に限らず、例えば演算手段としてのコンピュータを用いたり、コンピュータに上記処理を実施させるためのプログラム、そして、さらにはこのプログラムを記録した記録媒体をも本発明の対象とすることができる。さらに、情報処理装置としての各情報記録装置４００，４０１，４０２についても同様である。また、演算手段としてのコンピュータとしては、パーソナルコンピュータに限らず、複数のコンピュータがネットワーク状に接続された構成、マイクロコンピュータなどの素子、あるいは複数の電子部品が搭載された回路基板などをも含む。
【０２６３】
その他、本発明の実施の際に具体的な構造および手順は、本発明の目的を達成できる範囲での他の構造などに適宜変更できる。
【０２６４】
［実施の形態の作用効果］
上述したように、上記実施の形態では、録画同報システム１００の第１の情報記録装置４００は、ネットワークインターフェース４９０にて、録画予約情報３７４を有するグループ録画予約指示情報３７０を受信する。そして、この受信したグループ録画予約指示情報３７０の録画予約情報３７４に基づいて、録画手段５３２にて録画予約の設定処理を実施する。この後、第１の情報記録装置４００は、録画予約通知生成手段５３３にて、録画予約情報３７４と同様の情報を第２の情報記録装置４０１や第３の情報記録装置４０２に配信する。このように、録画予約情報３７４と同様の情報を各情報記録装置４０１，４０２に配信することにより、各情報記録装置４０１，４０２にも第１の情報記録装置４００と同様の録画をさせることができる。このため、録画予約を設定せずに外出していた例えば第２の情報記録装置４０１を有する友人にも、第１の情報記録装置４００の利用者と同様のテレビ番組を視聴させることができる。
【図面の簡単な説明】
【図１】本発明の一実施の形態に係る録画同報システムの概略構成を示すブロック図である。
【図２】前記一実施の形態における端末装置の概略構成を示すブロック図である。
【図３】前記一実施の形態における端末装置のメモリに記憶された各種情報の概略構成を示す模式図である。
【図４】前記一実施の形態におけるグループ録画予約指示情報の概略構成を示す模式図である。
【図５】前記一実施の形態における情報記録装置の概略構成を示すブロック図である。
【図６】前記一実施の形態における情報記録装置のハードディスクに記憶された各種情報の概略構成を示す模式図である。
【図７】前記一実施の形態における情報記録装置のＣＰＵの内部構成を示すブロック図である。
【図８】前記一実施の形態におけるグループ録画予約通知情報の概略構成を示す模式図である。
【図９】前記一実施の形態におけるサーバ装置の概略構成を示すブロック図である。
【図１０】前記一実施の形態におけるサーバ装置の記憶手段に記憶された各種情報の概略構成を示す模式図である。
（Ａ）：グループリストの概略構成を示す模式図
（Ｂ）：個人リストの概略構成を示す模式図
【図１１】前記一実施の形態におけるグループ録画予約同報情報の概略構成を示す模式図である。
【図１２】前記一実施の形態におけるグループ録画予約指示情報を受信した情報記録装置におけるグループ録画予約の設定処理を示すフローチャートである。
【図１３】前記一実施の形態におけるサーバ装置におけるグループ録画予約の設定処理を示すフローチャートである。
【図１４】前記一実施の形態におけるグループ録画予約同報情報を受信した情報記録装置におけるグループ録画予約の設定処理を示すフローチャートである。
【符号の説明】
１００    情報処理システムとしての録画同報システム
２００    ネットワーク
３００    端末装置および処理指示生成装置としての第１の端末装置
３０１    端末装置および処理指示生成装置としての第２の端末装置
３１０    端末信号出力手段としても機能する端末設定情報取得手段としての送受信器
３２０    端末信号出力手段としての端末入力部
３３０    端末報知手段としての端末表示部
３５０    端末信号出力手段としての処理部
３７０    処理指示情報としてのグループ録画予約指示情報
３７１    処理先情報としての自装置ＩＤ
３７２    配信先情報としての対象のグループＩＤ
３７３    配信先情報としての対象の個人ＩＤ
３７４    要求情報としての録画予約情報
４００    情報処理装置および処理対象先としての第１の情報記録装置
４０１    情報処理装置および配信先としての第２の情報記録装置
４０２    情報処理装置および配信先としての第３の情報記録装置
４９０    指示取得手段としてのネットワークインターフェース
５００    指示生成手段としても機能する信号出力部としての入力部
５１０    記録媒体および処理装置記憶手段としてのハードディスク
５１２Ａ  自装置情報としての自装置ＩＤ
５１２Ｆ  所属グループ情報としてのグループＩＤ
５３０    指示生成手段としても機能するＣＰＵ
５３１    処理制御手段としても機能する配信制御手段としての受信情報識別手段
５３２    処理制御手段としての録画手段
５３３    配信手段および同報通知生成手段としての録画予約通知生成手段
５３４    要求受付確認手段および設定要求生成手段としての録画予約受付確認手段
５３５    処理装置計時手段としての記録装置計時手段
５６０    処理装置報知手段としても機能する映像表示部
５８０    同報通知情報としてのグループ録画予約通知情報
５８１    配信元情報としての指示元の装置ＩＤ
５８３    同報先グループ情報としての対象のグループＩＤ
５８４    同報先情報としての対象の個人ＩＤ
５８５    要求情報としても機能する録画予約情報
６００    サーバ装置
６１０    要求取得手段としてのインターフェース
６２０    サーバ記憶手段としての記憶手段
６３１    同報制御手段としての受信通知識別手段
６３２    同報手段としての録画予約同報生成手段
６３４    サーバ計時手段
６３３    同報制御手段としても機能する設定情報配信手段としての録画予約状況情報生成手段
６４２Ａ  登録グループ情報としてのグループＩＤ
６５２Ａ  登録装置情報としての個人ＩＤ
６６１    処理先情報としての指示先の装置ＩＤ
６６４    処理先グループ情報としての対象のグループＩＤ
６６５    要求情報としても機能する録画予約情報
【図１】
2005039423.tif 000003
【図２】
2005039423.tif 000004
【図３】
2005039423.tif 000005
【図４】
2005039423.tif 000006
【図５】
2005039423.tif 000007
【図６】
2005039423.tif 000008
【図７】
2005039423.tif 000009
【図８】
2005039423.tif 000010
【図９】
2005039423.tif 000011
【図１０】
2005039423.tif 000012
【図１１】
2005039423.tif 000013
【図１２】
2005039423.tif 000014
【図１３】
2005039423.tif 000015
【図１４】
2005039423.tif 000016